(57)【要約】【課題】ラウンド内インターバル時間中に実行される遊技演出に対する興趣を向上させることのできる遊技機を提供すること。【解決手段】主制御用ＣＰＵは、大当りＺａが決定された場合、当り判定の判定結果が肯定となったときの遊技状態に応じてラウンド内インターバル時間を異ならせる。このとき、主制御用ＣＰＵは、当り判定の判定結果が肯定となったときの遊技状態が確変状態である場合、ラウンド内インターバル時間を９秒に設定する。一方、主制御用ＣＰＵは、当り判定の判定結果が肯定となったときの遊技状態が非確変状態である場合、ラウンド内インターバル時間を１秒に設定する。そして、ラウンド内インターバル時間を９秒に設定した場合には、そのラウンド内インターバル時間にかけて報知演出を実行する。【選択図】図１０
2015192819.tif 000002
【特許請求の範囲】
【請求項１】
当りか否かの当り判定の判定結果が肯定の場合、図柄変動ゲームの終了後に当り遊技が付与され、前記当り遊技中には、特別入球口を開放するラウンド遊技が行われる遊技機において、
前記当り判定の判定結果が肯定の場合に当りの種類を決定する当り種類決定手段と、
前記当り種類決定手段が決定した当りに基づいて前記当り遊技を付与する制御を行う当り遊技制御手段と、
前記当り遊技中に特定演出を実行させる制御を可能な特定演出制御手段と、を備え、
前記当り遊技制御手段は、
前記当りのうち特定当りが決定されたときには、複数回のラウンド遊技のうち特定ラウンド遊技において、前記特別入球口を複数回にわたって開放させるとともに、
前記特定当りが決定された場合であって、前記当り判定の判定結果が肯定となったときの遊技状態が第１遊技状態であるときには、前記特定ラウンド遊技において前記特別入球口を開放させてから次に前記特別入球口を開放させる迄の間のラウンド内インターバル時間のうち少なくとも１つである特定ラウンド内インターバル時間として第１時間を設定する一方で、前記当り判定の判定結果が肯定となったときの遊技状態が前記第１遊技状態とは異なる第２遊技状態であるときには、前記特定ラウンド内インターバル時間として前記第１時間よりも短い第２時間を設定する制御を可能に構成されており、
前記特定演出制御手段は、前記特定ラウンド内インターバル時間として前記第１時間が設定される場合、該第１時間にかけて前記特定演出を実行させる制御を可能であることを特徴とする遊技機。
【請求項２】
前記特定演出の演出時間は、前記第２時間を超える時間であって、且つ前記第１時間以下の時間であることを特徴とする請求項１に記載の遊技機。
【請求項３】
前記特定演出は、前記当り遊技が継続するか否かを報知する報知演出であることを特徴とする請求項１又は請求項２に記載の遊技機。
【請求項４】
前記当りには、当り遊技を通した特別入球口の開放回数として第１回数を設定した前記特定当りとしての第１回数当りと、前記開放回数として前記第１回数よりも少ない第２回数を設定した第２回数当りと、を含み、
前記当り遊技制御手段は、
前記第１回数当りが決定された場合には、前記特定ラウンド遊技において、前記特別入球口に第２回数目の開放をさせたのち、更に前記特別入球口を開放させるとともに、
前記当り判定の判定結果が肯定となったときの遊技状態に応じて、前記特別入球口に第２回数目の開放をさせてから次に前記特別入球口を開放させる迄の間の特定ラウンド内インターバル時間を設定する制御を可能に構成されたことを特徴とする請求項３に記載の遊技機。
【請求項５】
前記当りには、前記開放回数として前記第２回数よりも少ない第３回数を設定した第３回数当りをさらに含み、
前記当り遊技制御手段は、
前記第１回数当りが決定された場合には、前記特定ラウンド遊技のうち第１特定ラウンド遊技において、前記特別入球口に第２回数目の開放をさせたのち、更に前記特別入球口を開放させるとともに、前記特定ラウンド遊技のうち第２特定ラウンド遊技において、前記特別入球口に第３回数目の開放をさせたのち、更に前記特別入球口を開放させるようになっており、
前記当り判定の判定結果が肯定となったときの遊技状態に応じて、前記第１特定ラウンド遊技において前記特別入球口に第２回数目の開放をさせてから次に前記特別入球口を開放させる迄の間の第１特定ラウンド内インターバル時間を設定する第１制御と、
前記当り判定の判定結果が肯定となったときの遊技状態に応じて、前記第２特定ラウンド遊技において前記特別入球口に第３回数目の開放をさせてから次に前記特別入球口を開放させる迄の間の第２特定ラウンド内インターバル時間を設定する第２制御と、を可能に構成されたことを特徴とする請求項４に記載の遊技機。
【発明の詳細な説明】
【技術分野】
【０００１】
本発明は、当りか否かの当り判定の判定結果が肯定の場合、図柄変動ゲームの終了後に当り遊技が付与される遊技機に関する。
【背景技術】
【０００２】
従来から、遊技機の一種であるパチンコ遊技機では、当りか否かの当り判定の判定結果が肯定の場合、図柄変動ゲームの終了後に当り遊技を付与することが行われている。当り遊技中には、特別入球口を開放するラウンド遊技が行われる。
【０００３】
このようなパチンコ遊技機の中には、当り遊技を構成するラウンド遊技のうち特定ラウンド遊技において、特別入球口を複数回にわたって開放させるものがある（例えば、特許文献１）。特許文献１のパチンコ遊技機は、特定ラウンド遊技において特別入球口を開放させてから次に特別入球口を開放させる迄の間のラウンド内インターバル時間中に、大当り遊技が継続するか否かの報知演出を実行することで、大当り遊技の継続に期待感を抱く遊技者の興趣を向上させている。
【先行技術文献】
【特許文献】
【０００４】
【特許文献１】特開２０１０−１０４４３５号公報
【発明の概要】
【発明が解決しようとする課題】
【０００５】
しかしながら、このようなラウンド内インターバル時間中に所定の遊技演出を実行するパチンコ遊技機について、ラウンド内インターバル時間中に実行される遊技演出に対する興趣をさらに向上させることが期待されている。
【０００６】
本発明は、このような従来の技術に存在する問題点に着目してなされたものであり、その目的は、ラウンド内インターバル時間中に実行される遊技演出に対する興趣を向上させることのできる遊技機を提供することにある。
【課題を解決するための手段】
【０００７】
上記課題を解決する遊技機は、当りか否かの当り判定の判定結果が肯定の場合、図柄変動ゲームの終了後に当り遊技が付与され、前記当り遊技中には、特別入球口を開放するラウンド遊技が行われる遊技機において、前記当り判定の判定結果が肯定の場合に当りの種類を決定する当り種類決定手段と、前記当り種類決定手段が決定した当りに基づいて前記当り遊技を付与する制御を行う当り遊技制御手段と、前記当り遊技中に特定演出を実行させる制御を可能な特定演出制御手段と、を備え、前記当り遊技制御手段は、前記当りのうち特定当りが決定されたときには、複数回のラウンド遊技のうち特定ラウンド遊技において、前記特別入球口を複数回にわたって開放させるとともに、前記特定当りが決定された場合であって、前記当り判定の判定結果が肯定となったときの遊技状態が第１遊技状態であるときには、前記特定ラウンド遊技において前記特別入球口を開放させてから次に前記特別入球口を開放させる迄の間のラウンド内インターバル時間のうち少なくとも１つである特定ラウンド内インターバル時間として第１時間を設定する一方で、前記当り判定の判定結果が肯定となったときの遊技状態が前記第１遊技状態とは異なる第２遊技状態であるときには、前記特定ラウンド内インターバル時間として前記第１時間よりも短い第２時間を設定する制御を可能に構成されており、前記特定演出制御手段は、前記特定ラウンド内インターバル時間として前記第１時間が設定される場合、該第１時間にかけて前記特定演出を実行させる制御を可能であることを要旨とする。
【０００８】
上記遊技機について、前記特定演出の演出時間は、前記第２時間を超える時間であって、且つ前記第１時間以下の時間であってもよい。
上記遊技機について、前記特定演出は、前記当り遊技が継続するか否かを報知する報知演出であってもよい。
【０００９】
上記遊技機について、前記当りには、当り遊技を通した特別入球口の開放回数として第１回数を設定した前記特定当りとしての第１回数当りと、前記開放回数として前記第１回数よりも少ない第２回数を設定した第２回数当りと、を含み、前記当り遊技制御手段は、前記第１回数当りが決定された場合には、前記特定ラウンド遊技において、前記特別入球口に第２回数目の開放をさせたのち、更に前記特別入球口を開放させるとともに、前記当り判定の判定結果が肯定となったときの遊技状態に応じて、前記特別入球口に第２回数目の開放をさせてから次に前記特別入球口を開放させる迄の間の特定ラウンド内インターバル時間を設定する制御を可能に構成されてもよい。
【００１０】
上記遊技機について、前記当りには、前記開放回数として前記第２回数よりも少ない第３回数を設定した第３回数当りをさらに含み、前記当り遊技制御手段は、前記第１回数当りが決定された場合には、前記特定ラウンド遊技のうち第１特定ラウンド遊技において、前記特別入球口に第２回数目の開放をさせたのち、更に前記特別入球口を開放させるとともに、前記特定ラウンド遊技のうち第２特定ラウンド遊技において、前記特別入球口に第３回数目の開放をさせたのち、更に前記特別入球口を開放させるようになっており、前記当り判定の判定結果が肯定となったときの遊技状態に応じて、前記第１特定ラウンド遊技において前記特別入球口に第２回数目の開放をさせてから次に前記特別入球口を開放させる迄の間の第１特定ラウンド内インターバル時間を設定する第１制御と、前記当り判定の判定結果が肯定となったときの遊技状態に応じて、前記第２特定ラウンド遊技において前記特別入球口に第３回数目の開放をさせてから次に前記特別入球口を開放させる迄の間の第２特定ラウンド内インターバル時間を設定する第２制御と、を可能に構成されてもよい。
【発明の効果】
【００１１】
本発明によれば、ラウンド内インターバル時間中に実行される遊技演出に対する興趣を向上させることができる。
【図面の簡単な説明】
【００１２】
【図１】パチンコ遊技機を模式的に示す正面図。
【図２】遊技盤を模式的に示す正面図。
【図３】大当りの種類を示す模式図。
【図４】（ａ）及び（ｂ）は、大当り遊技の流れを示す模式図。
【図５】（ａ）及び（ｂ）は、大当り遊技の流れを示す模式図。
【図６】（ａ）及び（ｂ）は、大当り遊技の流れを示す模式図。
【図７】大当り遊技の流れを示す模式図。
【図８】パチンコ遊技機の電気的構成を示すブロック図。
【図９】大当り遊技処理を示すフローチャート。
【図１０】（ａ）及び（ｂ）は、大入賞口の開放態様と大当り遊技中の遊技演出の実行態様を示すタイミングチャート。
【図１１】（ａ）及び（ｂ）は、大入賞口の開放態様と大当り遊技中の遊技演出の実行態様を示すタイミングチャート。
【図１２】大入賞口の開放態様と大当り遊技中の遊技演出の実行態様を示すタイミングチャート。
【発明を実施するための形態】
【００１３】
以下、パチンコ遊技機の一実施形態を説明する。
図１に示すように、遊技機としてのパチンコ遊技機には、遊技盤ＹＢが備えられている。パチンコ遊技機の前面側には、遊技盤ＹＢへ遊技球を発射させるときに遊技者によって操作される発射ハンドルＨＤが配設されている。
【００１４】
図２に示すように、遊技盤ＹＢの中央には、画像表示部ＧＨを有する演出表示装置１０が配設されている。演出表示装置１０の画像表示部ＧＨは、例えば液晶ディスプレイ型の表示部である。
【００１５】
また、遊技盤ＹＢにおいて演出表示装置１０の右下方には、それぞれ複数の発光部によって構成される第１特別図柄表示装置１１と第２特別図柄表示装置１２とが配設されている。第１特別図柄表示装置１１及び第２特別図柄表示装置１２では、特別図柄を変動させて行う変動ゲームがそれぞれ行われる。第１特別図柄表示装置１１の変動ゲームでは、特別図柄のうち第１特別図柄が用いられる一方で、第２特別図柄表示装置１２の変動ゲームでは、特別図柄のうち第２特別図柄が用いられる。以下の説明では、第１特別図柄を用いる変動ゲームを「第１特別図柄変動ゲーム」と示すとともに、第２特別図柄を用いる変動ゲームを「第２特別図柄変動ゲーム」と示す。また、以下の説明では、第１特別図柄変動ゲーム及び第２特別図柄変動ゲームをまとめて「特別図柄変動ゲーム」と示す場合がある。特別図柄は、当りか否かの内部判定（後述する当り判定）の結果を示す報知用の図柄である。なお、本実施形態の当り判定は、当りか否かの当り抽選としても把握できる。
【００１６】
第１特別図柄表示装置１１及び第２特別図柄表示装置１２は、発光部を点灯及び消灯することにより特別図柄を表示する。そして、第１特別図柄表示装置１１では、第１特別図柄変動ゲームの開始と同時に第１特別図柄の変動表示が開始されるとともに、第１特別図柄変動ゲームの終了と同時に第１特別図柄が確定停止表示される。同様に、第２特別図柄表示装置１２では、第２特別図柄変動ゲームの開始と同時に第２特別図柄の変動表示が開始されるとともに、第２特別図柄変動ゲームの終了と同時に第２特別図柄が確定停止表示される。「変動表示」とは、図柄を表示する表示装置に定める表示領域内において、表示される図柄の種類が変化している状態である。「確定停止表示」とは、前記表示領域内において図柄が確定停止している状態であり、変動ゲーム終了時に表示されている図柄で確定停止した状態である。
【００１７】
本実施形態の特別図柄変動ゲームでは、当り判定の判定結果に応じた表示結果として、複数種類の特別図柄の中から選択された特別図柄が確定停止表示される。特別図柄は、当りを認識し得る当り図柄（当り表示結果）と、はずれを認識し得るはずれ図柄（はずれ表示結果）とに分類される。また、本実施形態において、第１特別図柄表示装置１１及び第２特別図柄表示装置１２では、並行して特別図柄変動ゲームが実行されることはない。即ち、本実施形態では、第１特別図柄変動ゲームと第２特別図柄変動ゲームのうち何れか一方のみが実行されるようになっている。
【００１８】
一方、演出表示装置１０では、特別図柄変動ゲームに係わる遊技演出として表示演出が行われる。具体的に、演出表示装置１０では、表示演出の１つとして、複数種類の飾り図柄を複数の図柄列（本実施形態では３列）で変動させて図柄組み合わせを表示（導出）する変動ゲームが行われる。以下の説明では、飾り図柄を用いる変動ゲームを「飾り図柄変動ゲーム」と示す。飾り図柄は、表示演出を多様化するために用いられる演出用の図柄（演出図柄）である。飾り図柄は、例えば１〜７の７種類のアラビア数字をそれぞれ模した画像として表示される。
【００１９】
演出表示装置１０では、特別図柄変動ゲームの開始と同時に飾り図柄の変動表示が開始される。また、演出表示装置１０では、特別図柄変動ゲームの終了前に飾り図柄が一旦停止表示されるとともに、特別図柄変動ゲームの終了と同時に飾り図柄が確定停止表示される。なお、「一旦停止表示」とは、例えばゆれ変動状態など、前記表示領域内において図柄が再び変動表示される可能性があることを示す状態である。
【００２０】
演出表示装置１０は、第１特別図柄表示装置１１及び第２特別図柄表示装置１２に比較して大きい表示領域で構成されるとともに、飾り図柄は特別図柄に比較して遥かに大きく表示される。このため、遊技者は、専ら演出表示装置１０に確定停止表示された図柄組み合わせから当り又ははずれを認識できる。
【００２１】
そして、演出表示装置１０には、特別図柄変動ゲームの表示結果に応じた表示結果が表示される。具体的に言えば、特別図柄変動ゲームで当り図柄（当り表示結果）が確定停止表示される場合には、演出表示装置１０にも当り図柄（当り表示結果）が確定停止表示される。本実施形態において、飾り図柄による当り図柄は、演出表示装置１０に確定停止表示された全列の飾り図柄が同一となる図柄組み合わせとされている。また、特別図柄変動ゲームではずれ図柄（はずれ表示結果）が確定停止表示される場合には、演出表示装置１０にもはずれ図柄（はずれ表示結果）が確定停止表示される。本実施形態において、飾り図柄によるはずれ図柄は、演出表示装置１０に確定停止表示された全列の飾り図柄が同一でない図柄組み合わせとされている。
【００２２】
そして、本実施形態の飾り図柄変動ゲームでは、演出表示装置１０において遊技者側から見て左列（左図柄）→右列（右図柄）→中列（中図柄）の順に飾り図柄が一旦停止表示される。そして、一旦停止表示された左図柄と右図柄が同一の場合には、その図柄組み合わせ（「１↓１」など、「↓」は変動中を示す）からリーチ状態を認識できる。リーチ状態は、全図柄列のうち、特定列（本実施形態では左列と右列）の飾り図柄が同一となって一旦停止表示され、かつ前記特定列以外の列（本実施形態では中列）の飾り図柄が変動表示されている状態である。本実施形態では、リーチ状態を認識できる図柄組み合わせが飾り図柄によるリーチの図柄組み合わせとなる。
【００２３】
また、本実施形態の演出表示装置１０では、飾り図柄変動ゲームにおいてリーチの図柄組み合わせが形成されてから、最終的に図柄組み合わせが一旦停止表示される迄の間に、表示演出の１つとしてリーチ演出を実行可能である。
【００２４】
遊技盤ＹＢにおいて演出表示装置１０の下方には、遊技球が入球可能な第１入球口を有する第１始動口１３が配設されている。また、第１始動口１３の奥方には、第１入球口へ入球した遊技球を検知する第１始動センサＳＥ１（図８に示す）が設けられている。本実施形態では、遊技球が第１始動センサＳＥ１で検知されることにより、第１特別図柄変動ゲームの始動条件が成立し得るとともに、予め定めた個数の賞球としての遊技球の払出条件が成立する。
【００２５】
また、遊技盤ＹＢにおいて第１始動口１３の右方には、遊技球が入球可能な第２入球口を有する第２始動口１５が配設されている。第２始動口１５は、普通電動役物ソレノイドＳＯＬ１（図８に示す）の作動により開閉動作を行う開閉扉１４を備えている。開閉扉１４は、第２始動口１５の第２入球口へ遊技球が入球容易な開状態、及び第２始動口１５の第２入球口へ遊技球が入球困難又は入球不能な閉状態に動作可能である。開閉扉１４は、常には閉状態に制御されており、後述する普通当り判定において肯定判定されることを契機として、１回又は複数回だけ予め定めた開放時間の間、開状態に制御される。また、第２始動口１５の奥方には、第２入球口へ入球した遊技球を検知する第２始動センサＳＥ２（図８に示す）が設けられている。本実施形態では、遊技球が第２始動センサＳＥ２で検知されることにより、第２特別図柄変動ゲームの始動条件が成立し得るとともに、予め定めた個数の賞球としての遊技球の払出条件が成立する。
【００２６】
遊技盤ＹＢにおいて演出表示装置１０の右下方には、大入賞口ソレノイドＳＯＬ２（図８に示す）の作動により開閉動作を行う大入賞口扉１６を備えた大入賞装置１７が配設されている。大入賞装置１７では、大入賞口扉１６が開放動作を行うと、大入賞装置１７に設けられた大入賞口１８が開放され、大入賞装置１７内への遊技球の入球が可能となる。また、大入賞装置１７には、大入賞口１８へ入球した遊技球を検知するカウントセンサＣＳ（図８に示す）が設けられている。本実施形態では、遊技球がカウントセンサＣＳで検知されることにより、予め定めた個数の賞球としての遊技球の払出条件が成立する。
【００２７】
本実施形態のパチンコ遊技機では、当り判定の判定結果が肯定の場合、特別図柄変動ゲームにて当り図柄（当り表示結果）が確定停止表示された後に当り遊技が付与される。当り遊技では、大入賞口扉１６が開状態となり、大入賞口１８への遊技球の入球が許容される。このため、当り遊技中、遊技者は、賞球の払出条件を成立させるチャンスを得ることができる。本実施形態では、大入賞口１８が、特別入球口として機能する。
【００２８】
遊技盤ＹＢにおいて演出表示装置１０の右下方には、それぞれ複数の発光部によって構成される第１保留表示装置１９と第２保留表示装置２０とが配設されている。第１保留表示装置１９では、始動条件が成立したが未だ実行されていない保留中の第１特別図柄変動ゲームの回数が表示される。同様に、第２保留表示装置２０では、始動条件が成立したが未だ実行されていない保留中の第２特別図柄変動ゲームの回数が表示される。以下の説明では、保留中の第１特別図柄変動ゲームの回数を「第１特別図柄保留数」と示すとともに、保留中の第２特別図柄変動ゲームの回数を「第２特別図柄保留数」と示す。
【００２９】
遊技盤ＹＢにおいて演出表示装置１０の右下方には、複数の発光部によって構成される普通図柄表示装置２１が配設されている。普通図柄表示装置２１では、普通図柄を変動させて行う変動ゲームが行われる。以下の説明では、普通図柄を用いる変動ゲームを「普通図柄変動ゲーム」と示す。普通図柄は、普通当りか否かの内部判定（普通当り判定）の結果を示す報知用の図柄である。なお、普通図柄表示装置２１は、発光部を点灯及び消灯することにより普通図柄を表示する。そして、普通図柄表示装置２１では、普通図柄変動ゲームの開始と同時に普通図柄の変動表示が開始されるとともに、普通図柄変動ゲームの終了と同時に普通図柄が確定停止表示される。
【００３０】
本実施形態の普通図柄変動ゲームでは、普通当り判定の判定結果に応じた表示結果として普通図柄が確定停止表示される。普通図柄は、普通当りを認識し得る普通当り図柄（普通当り表示結果）と、普通はずれを認識し得る普通はずれ図柄（普通はずれ表示結果）とに分類される。
【００３１】
本実施形態のパチンコ遊技機では、普通当り判定の判定結果が肯定の場合、普通図柄変動ゲームにて普通当り図柄が確定停止表示された後に普通当り遊技が付与される。普通当り遊技では、開閉扉１４を開放する開放条件が成立して開閉扉１４が開状態となり、第２始動口１５の第２入球口へ遊技球を入球させ易くなる。即ち、本実施形態では、普通当り判定で肯定判定されることにより、開閉扉１４を開放する開放条件が成立し得る。このため、普通当り遊技中、遊技者は、第２特別図柄変動ゲームの始動条件と賞球の払出条件とを成立させ易くなる。
【００３２】
遊技盤ＹＢにおいて大入賞装置１７の上方には、作動ゲート２２が配設されている。作動ゲート２２には、入球（通過）した遊技球を検知するゲートセンサＧＳ（図８に示す）が設けられている。本実施形態では、遊技球が作動ゲート２２のゲートセンサＧＳで検知されることにより、普通図柄変動ゲームの始動条件が成立し得る。以下の説明では、始動条件が成立したが未だ実行されていない保留中の普通図柄変動ゲームの回数を「普通図柄保留数」と示す。
【００３３】
また、本実施形態では、遊技球が遊技盤ＹＢに発射されて演出表示装置１０の左側を流下した場合、当該遊技球の一部が第１始動口１３に誘導されるように、遊技球の流下態様を変化させることが可能な遊技釘等の障害部材や、第１始動口１３等が配置されている。
【００３４】
また、本実施形態では、遊技球が遊技盤ＹＢに発射されて演出表示装置１０の右側を流下した場合、当該遊技球の一部が第２始動口１５や、大入賞装置１７、作動ゲート２２に誘導されるように、遊技釘等の障害部材や、第２始動口１５等が配置されている。即ち、本実施形態において、第２始動口１５と、大入賞装置１７と、作動ゲート２２とは同一の流下経路上に設けられている。
【００３５】
また、本実施形態のパチンコ遊技機は、確率変動（以下「確変」と示す）機能を備えている。確変機能は、当り遊技の終了後、当り判定の判定結果が肯定となる確率（当り確率）を低確率から高確率に変動させる確変状態を付与する機能である。確変状態は、確変状態が付与されていない状態（以下「非確変状態」と示す）と比較して、当り確率が高確率に変動して当り遊技が付与され易くなるため、遊技者にとって有利な状態となり得る。
【００３６】
また、本実施形態のパチンコ遊技機は、変動時間短縮（以下「変短」と示す）機能を備えている。変短機能は、当り遊技の終了後、遊技者に有利な変短状態を付与する機能である。変短状態では、普通図柄変動ゲームの変動時間が、変短状態が付与されていない状態（以下「非変短状態」と示す）よりも短縮される。また、変短状態では、普通当り判定の判定結果が肯定となる確率（普通当り確率）が非変短状態よりも高確率となる。また、変短状態では、普通当り判定を肯定判定した場合、１回の普通当り判定を肯定判定したことに基づく開閉扉１４の開放時間が、非変短状態よりも長くなる。変短状態は、非変短状態と比較して、第２始動口１５の第２入球口への単位時間当たりの入球率が向上する入球率向上状態となる。また、変短状態では、特別図柄変動ゲームの変動時間が非変短状態よりも短縮される場合があり、特に、はずれ表示結果が確定停止表示される特別図柄変動ゲームの変動時間が短縮される場合がある。以下の説明では、非確変状態であって、且つ非変短状態である遊技状態を単に「通常状態」と示す。
【００３７】
次に、本実施形態における当りについて説明する。
本実施形態では、当り判定の判定結果が肯定となった場合、複数種類（本実施形態では６種類）の当りの中から１つの当りが決定され、その決定された当りに基づく当り遊技が付与される。複数種類の当りのうち、何れの当りとするかは、当り判定の判定結果が肯定となった場合に選択（決定）する特別図柄（当り図柄）の種類によって特定される。具体的に、本実施形態では、当り判定の判定結果が肯定となった場合に当り図柄として選択された特別図柄の種類（即ち、当りの種類）に基づいて、当り遊技の種類が特定される。なお、本実施形態のパチンコ遊技機では、当り図柄の全てが大当り図柄であり、当り遊技の全てが大当り遊技である。
【００３８】
大当り遊技は、大当り図柄が確定停止表示される特別図柄変動ゲームの終了後に開始される。大当り遊技が開始すると、最初に大当り遊技の開始を示すオープニング演出が行われる。オープニング演出の終了後には、大入賞口扉１６（大入賞口１８）を開放するラウンド遊技が、予め定めた規定ラウンド数を上限として所定回数行われる。１回のラウンド遊技は、入球上限個数の遊技球が入球する第１終了条件、又はラウンド遊技が開始してから予め定めた規定時間が経過する第２終了条件の何れかが成立することにより終了する。なお、本実施形態では、何れの大当り遊技においても、入球上限個数として「１０個」が設定されている。また、ラウンド遊技では、ラウンド演出が行われる。そして、全てのラウンド遊技が終了すると、大当り遊技の終了を示すエンディング演出が行われ、大当り遊技は終了される。なお、以下の説明では、オープニング演出を「ＯＰ」、エンディング演出を「ＥＤ」と示す場合がある。また、以下の説明では、ラウンドを「Ｒ」と示すとともに、１回目のラウンドを「１Ｒ」、２回目のラウンドを「２Ｒ」などと示す場合がある。
【００３９】
図３に示すように、本実施形態のパチンコ遊技機では、特別図柄ＺＡに分類される特別図柄及び特別図柄ＺＢに分類される特別図柄が、第１特別図柄の大当り図柄となるとともに、特別図柄Ｚａ〜Ｚｄに分類される特別図柄が、第２特別図柄の大当り図柄となる。以下の説明では、特別図柄ＺＡに分類される大当り図柄に対応する大当りを大当りＺＡと示し、特別図柄ＺＢに分類される大当り図柄に対応する大当りを大当りＺＢと示す。また、特別図柄Ｚａ〜Ｚｄに分類される大当り図柄に対応する大当りを、それぞれ大当りＺａ〜Ｚｄと示す。
【００４０】
大当りＺＡに基づく大当り遊技及び大当りＺＢに基づく大当り遊技は、規定ラウンド数として「７回」が設定されているとともに、１回のラウンド遊技中の大入賞口１８の規定開放回数として「１回」が設定されている。したがって、大当りＺＡに基づく大当り遊技及び大当りＺＢに基づく大当り遊技は、大入賞口１８を「７回（７Ｒ×１回）」開放させる大当り遊技となる。なお、各ラウンド遊技における規定開放回数は最大回数であり、各ラウンド遊技は、大入賞口１８が設定された規定開放回数にわたって開放されるよりも前に終了される場合がある。
【００４１】
また、大当りＺＡに基づく大当り遊技及び大当りＺＢに基づく大当り遊技では、何れのラウンド遊技についても、規定時間として「２５秒」が設定されている。なお、本実施形態において、ラウンド遊技は、入球上限個数の遊技球が入球した場合など、ラウンド遊技の規定時間が経過する前に終了される場合がある。したがって、本実施形態におけるラウンド遊技の規定時間は、ラウンド遊技を行う上限の時間となる。
【００４２】
また、大当りＺＡに基づく大当り遊技及び大当りＺＢに基づく大当り遊技では、各ラウンド遊技後のインターバル時間として「１秒」が設定されている。なお、本実施形態のインターバル時間には、ラウンド遊技とラウンド遊技との間に設定されるラウンド間インターバル時間と、同一のラウンド遊技において、大入賞口１８の開放が終了してから、次の開放が開始される迄の間に設定されるラウンド内インターバル時間とがある。なお、大当りＺＡに基づく大当り遊技及び大当りＺＢに基づく大当り遊技では、１回のラウンド遊技中の大入賞口１８の規定開放回数として「１回」が設定されているため、ラウンド内インターバルは存在しない。以下の説明では、インターバル時間を「ＩＮ」と示す場合があるとともに、ラウンド間インターバル時間を「Ｒ間ＩＮ」、ラウンド内インターバル時間を「Ｒ内ＩＮ」と示す場合がある。
【００４３】
次に、図４〜図７に従って、大当りＺａ〜Ｚｄに基づく大当り遊技について説明する。
図４（ａ）及び（ｂ）に示すように、大当りＺａに基づく大当り遊技では、規定ラウンド数として「１６回」が設定されているとともに、１回のラウンド遊技中の大入賞口１８の規定開放回数として「３回」が設定されている。したがって、大当りＺａに基づく大当り遊技は、大入賞口１８を「４８回（１６Ｒ×３回）」開放させる大当り遊技となる。なお、大当りＺａに基づく大当り遊技では、全てのラウンド遊技が、大入賞口１８を複数回にわたって開放させる特定ラウンド遊技に対応する。また、大当りＺａに基づく大当り遊技では、大入賞口１８が開放してから閉鎖するまでの１回の開閉動作に係る時間（以下「開放時間」と示す場合がある）が「２．６秒」に設定されている。また、大当りＺａに基づく大当り遊技では、各ラウンド遊技後のラウンド間インターバル時間として、当り判定において肯定判定となったときの遊技状態にかかわらず「１秒」が設定されている。以下の説明では、当り判定の判定結果が肯定となったときの遊技状態を、当り判定時の遊技状態と示す。
【００４４】
そして、大当りＺａに基づく大当り遊技では、１〜５，７〜１０，１２〜１６回目のラウンド遊技において、１，２回目のラウンド内インターバル時間として、当り判定時の遊技状態にかかわらず「１秒」が設定されている。したがって、大当りＺａに基づく大当り遊技において、１〜５，７〜１０，１２〜１６回目のラウンド遊技の規定時間は、「９．８秒」となっている。
【００４５】
また、大当りＺａに基づく大当り遊技では、６回目のラウンド遊技において１回目の大入賞口１８が開放した後のラウンド内インターバル時間が、当り判定時の遊技状態に応じて設定されている。具体的に、大当りＺａに基づく大当り遊技では、６回目のラウンド遊技において１回目の大入賞口１８が開放した後のラウンド内インターバル時間として、当り判定時の遊技状態が非確変状態である場合には「１秒」が設定されている一方、確変状態である場合には「９秒」が設定されている。また、大当りＺａに基づく大当り遊技では、６回目のラウンド遊技において２回目の大入賞口１８が開放した後のラウンド内インターバル時間として、当り判定時の遊技状態にかかわらず「１秒」が設定されている。
【００４６】
また、大当りＺａに基づく大当り遊技では、１１回目のラウンド遊技において１回目の大入賞口１８が開放した後のラウンド内インターバル時間として、当り判定時の遊技状態にかかわらず「１秒」が設定されている。また、大当りＺａに基づく大当り遊技では、１１回目のラウンド遊技において２回目の大入賞口１８が開放した後のラウンド内インターバル時間が、当り判定時の遊技状態に応じて設定されている。具体的に、大当りＺａに基づく大当り遊技では、１１回目のラウンド遊技において２回目の大入賞口１８が開放した後のラウンド内インターバル時間として、当り判定時の遊技状態が非確変状態である場合には「１秒」が設定されている一方、確変状態である場合には「９秒」が設定されている。したがって、大当りＺａに基づく大当り遊技において、６，１１回目のラウンド遊技の規定時間は、当り判定時の遊技状態が非確変状態である場合には「９．８秒」となるとともに、当り判定時の遊技状態が確変状態である場合には「１７．８秒」となる。
【００４７】
このように、大当りＺａに基づく大当り遊技では、ラウンド遊技が開始すると、「２．６秒」の間、大入賞口１８が１回目の開放を行い、その開放時間の経過に伴って、大入賞口１８が閉鎖し、ラウンド内インターバルを経て、大入賞口１８が２回目の開放を行う。このとき、今回のラウンド遊技が６回目のラウンド遊技である場合であって、当り判定時の遊技状態が確変状態であるときには、「９秒」のラウンド内インターバル時間を経て大入賞口１８が２回目の開放を行う。また、今回のラウンド遊技が６回目のラウンド遊技である場合であって、当り判定時の遊技状態が非確変状態であるとき、及び今回のラウンド遊技が１〜５，７〜１６回目のラウンド遊技であるときには、「１秒」のラウンド内インターバル時間を経て大入賞口１８が２回目の開放を行う。
【００４８】
その後、大当りＺａに基づく大当り遊技では、２回目の開放の開放時間の経過に伴って大入賞口１８が再び閉鎖し、ラウンド内インターバルを経て大入賞口１８が３回目の開放を行う。このとき、今回のラウンド遊技が１１回目のラウンド遊技である場合であって、当り判定時の遊技状態が確変状態であるときには、「９秒」のラウンド内インターバル時間を経て大入賞口１８が３回目の開放を行う。また、今回のラウンド遊技が１１回目のラウンド遊技である場合であって、当り判定時の遊技状態が非確変状態であるとき、及び今回のラウンド遊技が１〜１０，１２〜１６回目のラウンド遊技であるときには、「１秒」のラウンド内インターバル時間を経て大入賞口１８が３回目の開放を行う。
【００４９】
その後、大当りＺａに基づく大当り遊技では、３回目の開放に基づく開放時間の経過に伴って大入賞口１８が再び閉鎖して１回のラウンド遊技が終了し、「１秒」のラウンド間インターバルを経て次のラウンド遊技又はエンディング演出が開始する。このとき、今回のラウンド遊技が１６回目以外のラウンド遊技である場合には、次のラウンド遊技が開始する一方、今回のラウンド遊技が１６回目のラウンド遊技である場合には、エンディング演出が開始する。以上の動作により、大当りＺａに基づく大当り遊技では、大入賞口１８が最大「４８回」開放することになる。
【００５０】
なお、大当りＺａに基づく大当り遊技において、６回目のラウンド遊技における１回目の大入賞口１８の開放は、大当り遊技を通した１６回目の開放に対応するとともに、１１回目のラウンド遊技における２回目の大入賞口１８の開放は、大当り遊技を通した３２回目の開放に対応する。したがって、大当りＺａに基づく大当り遊技では、１６，３２回目の開放後のラウンド内インターバル時間が、特定ラウンド内インターバル時間に対応する。また、大当りＺａに基づく大当り遊技では、１６回目の開放後のラウンド内インターバル時間が、第２特定ラウンド内インターバル時間に対応するとともに、３２回目の開放後のラウンド内インターバル時間が、第１特定ラウンド内インターバル時間に対応する。また、大当りＺａに基づく大当り遊技では、６回目のラウンド遊技が第２特定ラウンド遊技に対応するとともに、１１回目のラウンド遊技が第１特定ラウンド遊技に対応する。
【００５１】
図５（ａ）及び（ｂ）に示すように、大当りＺｂに基づく大当り遊技では、規定ラウンド数として「１６回」が設定されているとともに、１回のラウンド遊技中の大入賞口１８の規定開放回数として「３回」が設定されている。したがって、大当りＺｂに基づく大当り遊技は、大入賞口１８を「４８回（１６Ｒ×３回）」開放させる大当り遊技となる。なお、大当りＺｂに基づく大当り遊技では、全てのラウンド遊技が、大入賞口１８を複数回にわたって開放させる特定ラウンド遊技に対応する。また、大当りＺｂに基づく大当り遊技では、１回の大入賞口１８の開放時間が「２．６秒」に設定されている。また、大当りＺｂに基づく大当り遊技では、各ラウンド遊技後のラウンド間インターバル時間として、当り判定時の遊技状態にかかわらず「１秒」が設定されている。
【００５２】
そして、大当りＺｂに基づく大当り遊技では、１〜５，７〜１６回目のラウンド遊技において、１，２回目のラウンド内インターバル時間として、当り判定時の遊技状態にかかわらず「１秒」が設定されている。したがって、大当りＺｂに基づく大当り遊技において、１〜５，７〜１６回目のラウンド遊技の規定時間は、「９．８秒」となっている。
【００５３】
また、大当りＺｂに基づく大当り遊技では、６回目のラウンド遊技において１回目の大入賞口１８が開放した後のラウンド内インターバル時間が、当り判定時の遊技状態に応じて設定されている。具体的に、大当りＺｂに基づく大当り遊技では、６回目のラウンド遊技において１回目の大入賞口１８が開放した後のラウンド内インターバル時間として、当り判定時の遊技状態が非確変状態である場合には「１秒」が設定されている一方、確変状態である場合には「９秒」が設定されている。また、大当りＺｂに基づく大当り遊技では、６回目のラウンド遊技において２回目の大入賞口１８が開放した後のラウンド内インターバル時間として、当り判定時の遊技状態にかかわらず「１秒」が設定されている。したがって、大当りＺｂに基づく大当り遊技において、６回目のラウンド遊技の規定時間は、当り判定時の遊技状態が非確変状態である場合には「９．８秒」となるとともに、当り判定時の遊技状態が確変状態である場合には「１７．８秒」となる。
【００５４】
このように、大当りＺｂに基づく大当り遊技では、ラウンド遊技が開始すると、「２．６秒」の間、大入賞口１８が１回目の開放を行い、その開放時間の経過に伴って大入賞口１８が閉鎖し、ラウンド内インターバルを経て大入賞口１８が２回目の開放を行う。このとき、今回のラウンド遊技が６回目のラウンド遊技である場合であって、当り判定時の遊技状態が確変状態であるときには、「９秒」のラウンド内インターバル時間を経て大入賞口１８が２回目の開放を行う。また、今回のラウンド遊技が６回目のラウンド遊技である場合であって、当り判定時の遊技状態が非確変状態であるとき、及び今回のラウンド遊技が１〜５，７〜１６回目のラウンド遊技であるときには、「１秒」のラウンド内インターバル時間を経て大入賞口１８が２回目の開放を行う。
【００５５】
その後、大当りＺｂに基づく大当り遊技では、２回目の開放に基づく開放時間の経過に伴って、大入賞口１８が再び閉鎖し、「１秒」のラウンド内インターバルを経て、大入賞口１８が３回目の開放を行う。そして、大当りＺｂに基づく大当り遊技では、３回目の開放に基づく開放時間の経過に伴って大入賞口１８が再び閉鎖して１回のラウンド遊技が終了し、「１秒」のラウンド間インターバルを経て次のラウンド遊技又はエンディング演出が開始する。このとき、今回のラウンド遊技が１６回目以外のラウンド遊技である場合には、次のラウンド遊技が開始する一方、今回のラウンド遊技が１６回目のラウンド遊技である場合には、エンディング演出が開始する。以上の動作により、大当りＺｂに基づく大当り遊技では、大入賞口１８が最大「４８回」開放することになる。
【００５６】
なお、大当りＺｂに基づく大当り遊技において、６回目のラウンド遊技における１回目の大入賞口１８の開放は、大当り遊技を通した１６回目の開放に対応する。したがって、大当りＺｂに基づく大当り遊技では、１６回目の開放後のラウンド内インターバル時間が、特定ラウンド内インターバル時間、及び第２特定ラウンド内インターバル時間に対応する。また、大当りＺｂに基づく大当り遊技では、６回目のラウンド遊技が、第２特定ラウンド遊技に対応する。
【００５７】
図６（ａ）及び（ｂ）に示すように、大当りＺｃに基づく大当り遊技では、規定ラウンド数として「１６回」が設定されているとともに、１回のラウンド遊技中の大入賞口１８規定開放回数として「２回」が設定されている。したがって、大当りＺｃに基づく大当り遊技は、大入賞口１８を「３２回（１６Ｒ×２回）」開放させる大当り遊技となる。また、大当りＺｃに基づく大当り遊技では、１回の大入賞口１８の開放時間が「２．６秒」に設定されている。また、大当りＺｃに基づく大当り遊技では、各ラウンド遊技におけるラウンド内インターバル時間として、当り判定時の遊技状態にかかわらず「１秒」が設定されている。したがって、大当りＺｃに基づく大当り遊技において、各ラウンド遊技の規定時間は、「６．２秒」となっている。
【００５８】
そして、大当りＺｃに基づく大当り遊技では、１〜７，９〜１５回目のラウンド遊技後のラウンド間インターバル時間として、当り判定時の遊技状態にかかわらず「１秒」が設定されている。また、大当りＺｃに基づく大当り遊技では、８，１６回目のラウンド遊技後のラウンド間インターバル時間が、当り判定時の遊技状態に応じて設定されている。具体的に、大当りＺｃに基づく大当り遊技では、８，１６回目のラウンド遊技後のラウンド間インターバル時間として、当り判定時の遊技状態が非確変状態である場合には「１秒」が設定されている一方、確変状態である場合には「９秒」が設定されている。
【００５９】
このように、大当りＺｃに基づく大当り遊技では、ラウンド遊技が開始すると、「２．６秒」の間、大入賞口１８が１回目の開放を行い、その開放時間の経過に伴って、大入賞口１８が閉鎖し、「１秒」のラウンド内インターバルを経て、大入賞口１８が２回目の開放を行う。そして、２回目の開放に基づく開放時間の経過に伴って、大入賞口１８が再び閉鎖して１回のラウンド遊技が終了し、ラウンド間インターバルを経て次のラウンド遊技又はエンディング演出が開始する。
【００６０】
このとき、今回のラウンド遊技が８回目のラウンド遊技である場合であって、当り判定時の遊技状態が確変状態であるときには、「９秒」のラウンド間インターバル時間を経て次のラウンド遊技が開始する。また、今回のラウンド遊技が８回目のラウンド遊技である場合であって、当り判定時の遊技状態が非確変状態であるとき、及び今回のラウンド遊技が１〜７，９〜１５回目のラウンド遊技であるときには、「１秒」のラウンド間インターバル時間を経て次のラウンド遊技が開始する。また、今回のラウンド遊技が１６回目のラウンド遊技である場合であって、当り判定時の遊技状態が確変状態であるときには、「９秒」のラウンド間インターバル時間を経てエンディング演出が開始する。また、今回のラウンド遊技が１６回目のラウンド遊技である場合であって、当り判定時の遊技状態が非確変状態であるときには、「１秒」のラウンド間インターバル時間を経てエンディング演出が開始する。以上の動作により、大当りＺｃに基づく大当り遊技では、大入賞口１８が最大「３２回」開放することになる。
【００６１】
図７に示すように、大当りＺｄに基づく大当り遊技では、規定ラウンド数として「１６回」が設定されているとともに、１回のラウンド遊技中の大入賞口１８の規定開放回数として「１回」が設定されている。したがって、大当りＺｄに基づく大当り遊技は、大入賞口１８を「１６回（１６Ｒ×１回）」開放させる大当り遊技となる。また、大当りＺｄに基づく大当り遊技では、１回の大入賞口１８の開放時間が「２．６秒」に設定されている。なお、大当りＺｄに基づく大当り遊技では、１回のラウンド遊技中の大入賞口１８の規定開放回数として「１回」が設定されているため、ラウンド内インターバルは存在しない。したがって、大当りＺｄに基づく大当り遊技において、各ラウンド遊技の規定時間は、「２．６秒」となっている。
【００６２】
そして、大当りＺｄに基づく大当り遊技では、１〜１５回目のラウンド遊技後のラウンド間インターバル時間として、当り判定時の遊技状態にかかわらず「１秒」が設定されている。また、大当りＺｄに基づく大当り遊技では、１６回目のラウンド遊技後のラウンド間インターバル時間が、当り判定時の遊技状態に応じて設定されている。具体的に、大当りＺｄに基づく大当り遊技では、１６回目のラウンド遊技後のラウンド間インターバル時間として、当り判定時の遊技状態が非確変状態である場合には「１秒」が設定されている一方、確変状態である場合には「９秒」が設定されている。
【００６３】
このように、大当りＺｄに基づく大当り遊技では、ラウンド遊技が開始すると、「２．６秒」の間、大入賞口１８が１回目の開放を行い、その開放時間の経過に伴って大入賞口１８が閉鎖して１回のラウンド遊技が終了する。そして、１回のラウンド遊技が終了すると、ラウンド間インターバルを経て次のラウンド遊技又はエンディング演出が開始する。このとき、今回のラウンド遊技が１６回目のラウンド遊技である場合であって、当り判定時の遊技状態が確変状態であるときには、「９秒」のラウンド間インターバル時間を経てエンディング演出が開始する。また、今回のラウンド遊技が１６回目のラウンド遊技である場合であって、当り判定時の遊技状態が非確変状態であるときには、「１秒」のラウンド間インターバル時間を経てエンディング演出が開始する。また、今回のラウンド遊技が１〜１５回目のラウンド遊技であるときには、「１秒」のラウンド間インターバル時間を経て次のラウンド遊技が開始する。
【００６４】
なお、本実施形態では、大当りＺａ及び大当りＺｂが、特定当りに対応する。また、本実施形態では、「４８回」が第１回数に、「３２回」が第２回数に、「１６回」が第３回数にそれぞれ対応する。また、大当りＺａ及び大当りＺｂが第１回数当りに、大当りＺｃが第２回数当りに、大当りＺｄが第３回数当りにそれぞれ対応する。
【００６５】
また、本実施形態において、大当りＺａ〜Ｚｄに基づく大当り遊技では、オープニング演出が開始してから１６回目の開放が終了する迄の最大時間が同一に設定されている。また、本実施形態において、大当りＺａ，Ｚｃに基づく大当り遊技では、３２回目の開放が終了する迄の最大時間が同一に設定されている。
【００６６】
また、図３に示すように、本実施形態では、何れの大当り遊技についても、オープニング演出の演出時間として「６秒」が設定されているとともに、エンディング演出の演出時間として「１０秒」が設定されている。
【００６７】
また、本実施形態では、大当りＺＡ，Ｚａ〜Ｚｄに基づく大当り遊技の終了後に確変状態が付与される。即ち、本実施形態では、大当りＺＡ，Ｚａ〜Ｚｄのうち何れかの大当りが決定されることにより、確変状態を付与する付与条件が成立する。なお、確変状態は、大当り遊技の終了後から予め定めた確変回数（本実施形態では「１００回」）の特別図柄変動ゲームが終了される迄の間、又は確変回数の特別図柄変動ゲームの終了前に次回の大当り遊技が付与される迄の間、付与される。また、大当りＺＢに基づく大当り遊技の終了後には、確変状態が付与されない。
【００６８】
また、本実施形態において、確変状態は、当り確率が高確率に変動するため、非確変状態と比較して大当りＺａ〜Ｚｄを含む大当りが決定され易い遊技状態となる。なお、本実施形態では、大当りＺａ〜Ｚｄが、大当り遊技後に確変状態を付与する付与条件が成立し得る当りに対応する。
【００６９】
また、本実施形態では、何れの大当り遊技についても、大当り遊技の終了後から予め定めた作動回数（本実施形態では「１００回」）の特別図柄変動ゲームが終了される迄の間、又は作動回数の特別図柄変動ゲームの終了前に次回の大当り遊技が付与される迄の間、変短状態が付与される。また、本実施形態において、変短状態は、第２始動口１５の第２入球口への遊技球の入球率が向上し、第２特別図柄変動ゲームの始動条件を成立させ易くなるため、非変短状態と比較して大当りＺａ〜Ｚｄが決定され易い遊技状態となる。
【００７０】
次に、本実施形態のパチンコ遊技機において実行可能な遊技演出について説明する。
本実施形態では、遊技演出の１つとして、大当り遊技におけるインターバル時間中に、今回の大当り遊技が継続するか否かを報知する報知演出を実行可能である。この報知演出は、演出表示装置１０の画像表示部ＧＨに演出用のキャラクタ画像を表示させ、そのキャラクタ画像の動作によって今回の大当り遊技が継続するか否かを報知する演出態様で実行される。報知演出の演出態様には、次回のラウンド遊技が開始されることを報知する継続報知態様と、次回のラウンド遊技が開始されないことを報知する終了報知態様とがある。また、継続報知態様には、単に次回のラウンド遊技が開始されることを報知する第１継続報知態様と、今回の大当り遊技における大入賞口１８の最大の開放回数を報知する第２継続報知態様とがある。なお、本実施形態の報知演出は、演出時間として「９秒」が設定されている。したがって、本実施形態において、インターバル時間として「９秒」が設定されている場合には報知演出を実行可能である一方で、インターバル時間として「１秒」が設定されている場合には報知演出を実行できない。
【００７１】
次に、本実施形態のパチンコ遊技機の制御構成について説明する。
パチンコ遊技機の機裏側には、主制御基板３０が装着されている。主制御基板３０は、パチンコ遊技機における遊技などに関する処理を実行するとともに、該処理の結果に応じて各種の制御信号（制御コマンド）を出力する。また、機裏側には、演出制御基板３１が装着されている。演出制御基板３１は、主制御基板３０が出力した制御信号（制御コマンド）に基づき遊技演出の実行などに関する処理を実行する。即ち、演出制御基板３１は、演出表示装置１０の表示態様（図柄、背景、文字などの表示画像など）、装飾ランプＬＡの発光態様、及びスピーカＳＰの音声出力態様を制御する。
【００７２】
以下、主制御基板３０及び演出制御基板３１について、その具体的な構成を説明する。
最初に、主制御基板３０について説明する。
図８に示すように、主制御基板３０には、主制御用ＣＰＵ３０ａ、主制御用ＲＯＭ３０ｂ、主制御用ＲＡＭ３０ｃ、及び乱数生成回路３０ｄが備えられている。主制御用ＣＰＵ３０ａには、主制御用ＲＯＭ３０ｂ、主制御用ＲＡＭ３０ｃ、及び乱数生成回路３０ｄが接続されている。また、主制御用ＣＰＵ３０ａには、第１始動センサＳＥ１、第２始動センサＳＥ２、カウントセンサＣＳ、及びゲートセンサＧＳが接続されている。また、主制御用ＣＰＵ３０ａには、第１特別図柄表示装置１１、第２特別図柄表示装置１２、第１保留表示装置１９、第２保留表示装置２０、及び普通図柄表示装置２１が接続されている。また、主制御用ＣＰＵ３０ａには、普通電動役物ソレノイドＳＯＬ１及び大入賞口ソレノイドＳＯＬ２が接続されている。
【００７３】
主制御用ＣＰＵ３０ａは、パチンコ遊技機における遊技に関する各種の処理を所定の手順で実行する。主制御用ＲＯＭ３０ｂには、主制御用ＣＰＵ３０ａが遊技に関する処理を実行するためのメイン制御プログラムが記憶されている。また、主制御用ＲＯＭ３０ｂには、複数種類の特別図柄変動パターンが記憶されている。特別図柄変動パターンは、特別図柄の変動表示が開始されてから特別図柄が確定停止表示される迄の間の遊技演出（表示演出等）のベースとなるパターンを示すものである。本実施形態における特別図柄変動パターンは、特別図柄の変動表示が開始されてから特別図柄が確定停止表示される迄の変動時間（演出時間）、及び該変動時間中の飾り図柄変動ゲームの変動内容（演出内容）を特定できる。
【００７４】
本実施形態の特別図柄変動パターンには、大当り演出を特定する大当り演出用の特別図柄変動パターンと、はずれリーチ演出を特定するはずれリーチ演出用の特別図柄変動パターンと、はずれ演出を特定するはずれ演出用の特別図柄変動パターンとがある。
【００７５】
大当り演出は、飾り図柄変動ゲームが、リーチ演出を経て、最終的に大当りの図柄組み合わせを確定停止表示させるように展開される演出である。はずれリーチ演出は、飾り図柄変動ゲームが、リーチ演出を経て、最終的にはずれの図柄組み合わせを確定停止表示させるように展開される演出である。はずれ演出は、飾り図柄変動ゲームが、リーチ演出を経ることなく最終的にはずれの図柄組み合わせを確定停止表示させるように展開される演出である。
【００７６】
また、主制御用ＲＯＭ３０ｂには、遊技に関する判定に用いられる各種の判定値が記憶されている。例えば、主制御用ＲＯＭ３０ｂには、当りか否かの当り判定に用いられる当り判定値が記憶されている。なお、確変状態が付与されているときに用いられる当り判定値の個数は、確変状態が付与されていないときに用いられる当り判定値の個数よりも多い。また、主制御用ＲＯＭ３０ｂには、普通当り遊技を付与する普通当りか否かの普通当り判定に用いられる普通当り判定値が記憶されている。なお、変短状態が付与されているときに用いられる普通当り判定値の個数は、変短状態が付与されていないときに用いられる普通当り判定値の個数よりも多い。そして、主制御用ＲＯＭ３０ｂには、当り判定で否定判定された場合に、リーチ演出の実行を許容するか否かのリーチ判定に用いられるリーチ判定値が記憶されている。
【００７７】
また、主制御用ＲＡＭ３０ｃには、パチンコ遊技機の動作中に適宜書き換えられる各種情報（乱数値、タイマ値、フラグ等）が記憶される。例えば、主制御用ＲＡＭ３０ｃには、確変状態が付与されているか否かを示す主確変フラグが記憶される。また、主制御用ＲＡＭ３０ｃには、変短状態が付与されているか否かを示す主作動フラグが記憶される。
【００７８】
また、乱数生成回路３０ｄでは、各種のハードウェア乱数が生成される。本実施形態において、各種のハードウェア乱数には、当り判定用乱数や、普通当り判定用乱数などがある。当り判定用乱数は、当り判定に用いる乱数である。普通当り判定用乱数は、普通当り判定に用いる乱数である。
【００７９】
また、主制御用ＣＰＵ３０ａは、各種のソフトウェア乱数の値を所定の周期毎に更新し、主制御用ＲＡＭ３０ｃに記憶させるソフトウェア乱数生成処理を実行する。本実施形態において、各種のソフトウェア乱数には、特別図柄振分用乱数や、リーチ判定用乱数、特別図柄変動パターン振分用乱数などがある。特別図柄振分用乱数は、特別図柄（大当りの種類）を決定する際に用いる乱数である。リーチ判定用乱数は、リーチ判定に用いる乱数である。特別図柄変動パターン振分用乱数は、特別図柄変動パターンを決定する際に用いる乱数である。
【００８０】
次に、演出制御基板３１について説明する。
演出制御基板３１には、演出制御用ＣＰＵ３１ａ、演出制御用ＲＯＭ３１ｂ、及び演出制御用ＲＡＭ３１ｃが備えられているとともに、演出制御用ＣＰＵ３１ａには、演出制御用ＲＯＭ３１ｂ及び演出制御用ＲＡＭ３１ｃが接続されている。また、演出制御用ＣＰＵ３１ａには、演出表示装置１０、装飾ランプＬＡ、及びスピーカＳＰが接続されている。また、演出制御用ＣＰＵ３１ａは、各種乱数の値を所定の周期毎に更新し、更新後の値を演出制御用ＲＡＭ３１ｃの設定領域に記憶（設定）して更新前の値を書き換えている。
【００８１】
演出制御用ＲＯＭ３１ｂには、遊技演出の実行などに関する処理を実行するための演出制御プログラムや、各種の画像データ（図柄、背景画像、文字、及びキャラクタなどの各種の画像データ）などが記憶されている。演出制御用ＲＡＭ３１ｃには、パチンコ遊技機の動作中に適宜書き換えられる各種情報（乱数値、タイマ値、フラグ等）が記憶される。
【００８２】
以下、主制御基板３０及び演出制御基板３１が実行する制御内容を説明する。
まず、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば４ｍｓ）毎に特別図柄入力処理や特別図柄開始処理などの各種処理を実行する。
【００８３】
最初に、特別図柄入力処理について説明する。
特別図柄入力処理において、主制御用ＣＰＵ３０ａは、第１始動口１３の第１入球口へ遊技球が入球し、該遊技球を検知した第１始動センサＳＥ１が出力する検知信号を入力したか否かの第１入球判定を行う。主制御用ＣＰＵ３０ａは、第１入球判定の判定結果が否定の場合、後述する第２入球判定に移行する。一方、主制御用ＣＰＵ３０ａは、第１入球判定の判定結果が肯定の場合、主制御用ＲＡＭ３０ｃに記憶されている第１特別図柄保留数が上限数（本実施形態では４）未満であるか否かの第１保留判定を行う。
【００８４】
主制御用ＣＰＵ３０ａは、第１保留判定の判定結果が否定の場合（特別図柄保留数＝４の場合）、後述する第２入球判定に移行する。一方、主制御用ＣＰＵ３０ａは、第１保留判定の判定結果が肯定の場合（特別図柄保留数＜４の場合）、第１特別図柄保留数を１加算し、第１特別図柄保留数を更新するとともに、更新後の第１特別図柄保留数を表示するように第１保留表示装置１９の表示内容を制御する。その後、主制御用ＣＰＵ３０ａは、乱数生成回路３０ｄから当り判定用乱数の値を取得するとともに、主制御用ＲＡＭ３０ｃから、特別図柄振分用乱数の値、リーチ判定用乱数の値、及び特別図柄変動パターン振分用乱数の値を取得する。そして、主制御用ＣＰＵ３０ａは、取得した各種乱数の値を、該各種乱数の値を記憶させた順序と、第１特別図柄変動ゲームの実行に用いる乱数の値であることとを特定可能となるように、主制御用ＲＡＭ３０ｃの所定の記憶領域に記憶させる。
【００８５】
各種乱数の値を主制御用ＲＡＭ３０ｃに記憶させた場合、第１入球判定の判定結果が否定の場合、又は第１保留判定の判定結果が否定の場合、主制御用ＣＰＵ３０ａは、第２始動口１５の第２入球口へ遊技球が入球し、該遊技球を検知した第２始動センサＳＥ２が出力する検知信号を入力したか否かの第２入球判定を行う。そして、主制御用ＣＰＵ３０ａは、第２入球判定の判定結果が否定の場合、特別図柄入力処理を終了する。一方、主制御用ＣＰＵ３０ａは、第２入球判定の判定結果が肯定の場合、主制御用ＲＡＭ３０ｃに記憶されている第２特別図柄保留数が上限数（本実施形態では４）未満であるか否かの第２保留判定を行う。
【００８６】
主制御用ＣＰＵ３０ａは、第２保留判定の判定結果が否定の場合（特別図柄保留数＝４の場合）、特別図柄入力処理を終了する。一方、主制御用ＣＰＵ３０ａは、第２保留判定の判定結果が肯定の場合（特別図柄保留数＜４の場合）、第２特別図柄保留数を１加算し、第２特別図柄保留数を更新するとともに、更新後の第２特別図柄保留数を表示するように第２保留表示装置２０の表示内容を制御する。その後、主制御用ＣＰＵ３０ａは、乱数生成回路３０ｄから当り判定用乱数の値を取得するとともに、主制御用ＲＡＭ３０ｃから、特別図柄振分用乱数の値、リーチ判定用乱数の値、及び特別図柄変動パターン振分用乱数の値を取得する。そして、主制御用ＣＰＵ３０ａは、取得した各種乱数の値を、該各種乱数の値を記憶させた順序と、第２特別図柄変動ゲームの実行に用いる乱数の値であることとを特定可能となるように、主制御用ＲＡＭ３０ｃの所定の記憶領域に記憶させる。その後、主制御用ＣＰＵ３０ａは、特別図柄入力処理を終了する。
【００８７】
次に、特別図柄開始処理について説明する。
特別図柄開始処理において、主制御用ＣＰＵ３０ａは、特別図柄変動ゲームの実行条件が成立しているか否かを判定する。このとき、主制御用ＣＰＵ３０ａは、特別図柄変動ゲーム中又は大当り遊技中であるか否かを判定する。そして、特別図柄変動ゲームの実行条件が成立していない場合（特別図柄変動ゲーム中又は大当り遊技中である場合）、主制御用ＣＰＵ３０ａは、特別図柄開始処理を終了する。
【００８８】
一方、特別図柄変動ゲームの実行条件が成立している場合（特別図柄変動ゲームの実行中でなく、且つ大当り遊技中でない場合）、主制御用ＣＰＵ３０ａは、主制御用ＲＡＭ３０ｃに記憶されている第２特別図柄保留数が「０（零）」よりも大きいか否かの第２保留数判定を行う。第２保留数判定の判定結果が否定の場合（第２特別図柄保留数＝０の場合）、主制御用ＣＰＵ３０ａは、主制御用ＲＡＭ３０ｃに記憶されている第１特別図柄保留数が「０（零）」よりも大きいか否かの第１保留数判定を行う。第１保留数判定の判定結果が否定の場合（第１特別図柄保留数＝０の場合）、主制御用ＣＰＵ３０ａは、特別図柄開始処理を終了する。
【００８９】
一方、第１保留数判定の判定結果が肯定の場合（第１特別図柄保留数＞０の場合）、主制御用ＣＰＵ３０ａは、第１特別図柄保留数を１減算し、第１特別図柄保留数を更新するとともに、更新後の第１特別図柄保留数を表示するように第１保留表示装置１９の表示内容を制御する。次に、主制御用ＣＰＵ３０ａは、主制御用ＲＡＭ３０ｃに記憶されている第１特別図柄変動ゲームの実行に用いる各種乱数の値のうち、最先に記憶された各種乱数の値を取得する。
【００９０】
次に、主制御用ＣＰＵ３０ａは、取得した当り判定用乱数の値が主制御用ＲＯＭ３０ｂに記憶されている当り判定値と一致するか否かの当り判定を行う。このとき、主制御用ＣＰＵ３０ａは、確変状態が付与されている場合、確変状態用の当り判定値を用いる一方で、確変状態が付与されていない場合、非確変状態用の当り判定値を用いる。この遊技状態に応じた当り判定値の選択により、確変状態中は、当り確率が高確率に変動する。
【００９１】
当り判定の判定結果が肯定の場合（当りの場合）、主制御用ＣＰＵ３０ａは、特別図柄振分用乱数の値に基づいて、第１特別図柄による大当り図柄の中から第１特別図柄表示装置１１にて確定停止表示させる最終停止図柄を決定する。このとき、主制御用ＣＰＵ３０ａは、第１特別図柄による大当り図柄の中から、取得した特別図柄振分用乱数の値に対応付けられた１つの第１特別図柄を選択することにより最終停止図柄を決定する。この最終停止図柄の決定により、主制御用ＣＰＵ３０ａは、大当りの種類を決定する。即ち、本実施形態では、主制御用ＣＰＵ３０ａが、当り種類決定手段として機能する。
【００９２】
またこのとき、主制御用ＣＰＵ３０ａは、当り判定時の遊技状態を特定可能な主遊技状態情報を、主制御用ＲＡＭ３０ｃ内の所定の記憶領域に設定する。具体的に、本実施形態において、主制御用ＣＰＵ３０ａは、確変状態が付与されている場合、当り判定時の遊技状態が確変状態であることを示す値を、主遊技状態情報として主制御用ＲＡＭ３０ｃ内の所定の記憶領域に設定する。一方、主制御用ＣＰＵ３０ａは、確変状態が付与されていない場合、当り判定時の遊技状態が非確変状態であることを示す値を、主遊技状態情報として主制御用ＲＡＭ３０ｃ内の所定の記憶領域に設定する。
【００９３】
次に、主制御用ＣＰＵ３０ａは、取得した特別図柄変動パターン振分用乱数の値に基づいて、大当り演出用の特別図柄変動パターンの中から１つの特別図柄変動パターンを決定する。その後、主制御用ＣＰＵ３０ａは、特別図柄開始処理を終了する。
【００９４】
また、当り判定の判定結果が否定の場合（はずれの場合）、主制御用ＣＰＵ３０ａは、取得したリーチ判定用乱数の値が主制御用ＲＯＭ３０ｂに記憶されているリーチ判定値と一致するか否かのリーチ判定を行う。リーチ判定の判定結果が肯定の場合（リーチ演出ありの場合）、主制御用ＣＰＵ３０ａは、第１特別図柄によるはずれ図柄の中から第１特別図柄表示装置１１にて確定停止表示させる最終停止図柄を決定する。次に、主制御用ＣＰＵ３０ａは、特別図柄変動パターン振分用乱数の値に基づいて、はずれリーチ演出用の特別図柄変動パターンの中から１つの特別図柄変動パターンを決定する。その後、主制御用ＣＰＵ３０ａは、特別図柄開始処理を終了する。
【００９５】
また、リーチ判定の判定結果が否定の場合（リーチ演出なしの場合）、主制御用ＣＰＵ３０ａは、第１特別図柄によるはずれ図柄の中から第１特別図柄表示装置１１にて確定停止表示させる最終停止図柄を決定する。次に、主制御用ＣＰＵ３０ａは、特別図柄変動パターン振分用乱数の値に基づいて、はずれ演出用の特別図柄変動パターンの中から１つの特別図柄変動パターンを決定する。その後、主制御用ＣＰＵ３０ａは、特別図柄開始処理を終了する。
【００９６】
一方、第２保留数判定の判定結果が肯定の場合（第２特別図柄保留数＞０の場合）、主制御用ＣＰＵ３０ａは、第２特別図柄保留数を１減算し、第２特別図柄保留数を更新するとともに、更新後の第２特別図柄保留数を表示するように第２保留表示装置２０の表示内容を制御する。次に、主制御用ＣＰＵ３０ａは、主制御用ＲＡＭ３０ｃに記憶されている第２特別図柄変動ゲームの実行に用いる各種乱数の値のうち、最先に記憶された各種乱数の値を取得する。
【００９７】
以下、主制御用ＣＰＵ３０ａは、第１保留数判定の判定結果が肯定の場合の処理と同様にして各種の判定を実行するとともに、これらの判定の結果に応じて第２特別図柄表示装置１２にて確定停止表示させる最終停止図柄や、第２特別図柄変動ゲームの特別図柄変動パターンを決定する。
【００９８】
即ち、当り判定の判定結果が肯定の場合（当りの場合）、主制御用ＣＰＵ３０ａは、特別図柄振分用乱数の値に基づいて、第２特別図柄による大当り図柄の中から第２特別図柄表示装置１２にて確定停止表示させる最終停止図柄を決定する。このとき、主制御用ＣＰＵ３０ａは、第２特別図柄による大当り図柄の中から、取得した特別図柄振分用乱数の値に対応付けられた１つの第２特別図柄を選択することにより最終停止図柄を決定する。
【００９９】
またこのとき、主制御用ＣＰＵ３０ａは、第１保留数判定の判定結果が肯定の場合の処理と同様に、当り判定時の遊技状態を特定可能な主遊技状態情報を、主制御用ＲＡＭ３０ｃ内の所定の記憶領域に設定する。
【０１００】
なお、本実施形態において、第２特別図柄変動ゲームの実行に係わる処理のうち各種乱数の値を読み出した以降の処理は、第１特別図柄変動ゲームの実行に関わる処理のうち各種乱数の値を読み出した以降の処理と同様であるため、その他の詳細な説明は省略する。
【０１０１】
また、特別図柄開始処理とは別の処理で、主制御用ＣＰＵ３０ａは、演出制御基板３１（演出制御用ＣＰＵ３１ａ）に対し、所定の制御コマンドを所定のタイミングで出力する等、特別図柄変動ゲームに関する各種処理を実行する。具体的に言えば、主制御用ＣＰＵ３０ａは、特別図柄変動パターンを指定するとともに飾り図柄の変動開始を指示する変動パターン指定コマンドを出力する。また、主制御用ＣＰＵ３０ａは、第１保留数判定の判定結果が肯定の場合（第１特別図柄変動ゲームを開始させる場合）、第１特別図柄の変動表示を開始させるように第１特別図柄表示装置１１の表示内容を制御する。その一方で、主制御用ＣＰＵ３０ａは、第２保留数判定の判定結果が肯定の場合（第２特別図柄変動ゲームを開始させる場合）、第２特別図柄の変動表示を開始させるように第２特別図柄表示装置１２の表示内容を制御する。また、主制御用ＣＰＵ３０ａは、特別図柄変動ゲームの演出時間の計測を開始する。また、主制御用ＣＰＵ３０ａは、最終停止図柄を指定するための特別図柄指定コマンドを出力する。
【０１０２】
その後、主制御用ＣＰＵ３０ａは、特別図柄開始処理において決定した特別図柄変動パターンに定められている変動時間に基づいて、決定した最終停止図柄を確定停止表示させるように各特別図柄表示装置１１，１２の表示内容を制御する。また、主制御用ＣＰＵ３０ａは、特別図柄開始処理において決定した特別図柄変動パターンに定められている変動時間の終了時に、飾り図柄の変動停止を指示し、図柄組み合わせを確定停止表示させるための全図柄停止コマンドを出力する。以上のように、本実施形態のパチンコ遊技機では、上述の特別図柄開始処理を含む各種の処理を実行することにより、第１特別図柄変動ゲームと第２特別図柄変動ゲームとが何れも記憶されているとき、第２特別図柄変動ゲームを優先的に実行する。
【０１０３】
次に、主制御用ＣＰＵ３０ａが大当り遊技を付与するために行う大当り遊技処理について説明する。
主制御用ＣＰＵ３０ａは、当り判定において肯定判定した際に決定した特別図柄の大当り図柄（即ち、大当りの種類）に基づいて、付与する大当り遊技の種類を特定する。そして、主制御用ＣＰＵ３０ａは、特別図柄変動ゲームの終了後、大当りの種類に基づいて特定された大当り遊技の制御を開始するとともに、演出制御用ＣＰＵ３１ａに対し、所定の制御コマンドを所定のタイミングで出力する。
【０１０４】
図９に示すように、大当り遊技処理において主制御用ＣＰＵ３０ａは、オープニング処理を実行する（ステップＳ１１）。オープニング処理において、主制御用ＣＰＵ３０ａは、大当りの種類に基づいて特定された大当り遊技用のオープニング演出の演出時間を主制御用ＲＡＭ３０ｃに設定するとともに、オープニング演出の実行を指示するオープニングコマンドを演出制御用ＣＰＵ３１ａに出力する。オープニングコマンドは、大当り遊技の開始を指示する大当り開始コマンドとなる。またこのとき、主制御用ＣＰＵ３０ａは、主制御用ＲＡＭ３０ｃに設定されている主遊技状態情報から、当り判定時の遊技状態を特定し、当り判定時の遊技状態を示す遊技状態コマンドを演出制御用ＣＰＵ３１ａに出力する。そして、主制御用ＣＰＵ３０ａは、オープニング演出の演出時間が経過した場合、ラウンド遊技に係る各種処理として、以下のステップＳ１２〜Ｓ２２を実行する。
【０１０５】
まず、主制御用ＣＰＵ３０ａは、主制御用ＲＡＭ３０ｃに記憶されているラウンド遊技数に１加算して値を更新するとともに、更新後のラウンド遊技数を示すラウンド遊技数コマンドを演出制御用ＣＰＵ３１ａに出力する（ステップＳ１２）。なお、主制御用ＣＰＵ３０ａは、大当り遊技の開始時にラウンド遊技数として「０（零）」を設定する。したがって、本実施形態では、ラウンド遊技数に設定された値が、何回目のラウンド遊技であるかを示すようになっている。また、ラウンド遊技数コマンドは、ラウンド遊技の開始を指示するラウンド開始コマンドとなる。
【０１０６】
続いて、主制御用ＣＰＵ３０ａは、大入賞口１８を開放させるように大入賞口ソレノイドＳＯＬ２を制御して、ラウンド遊技を開始させる（ステップＳ１３）。このとき、主制御用ＣＰＵ３０ａは、大入賞口１８が開放してから閉鎖する迄の時間である大入賞口１８の開放時間を主制御用ＲＡＭ３０ｃに設定する。なお、本実施形態において、主制御用ＣＰＵ３０ａは、今回の大当り遊技が大当りＺＡ，ＺＢに基づく大当り遊技である場合、大入賞口１８の開放時間として「２５秒」を設定する一方、今回の大当りが大当りＺａ〜Ｚｄに基づく大当り遊技である場合、大入賞口１８の開放時間として「２．６秒」を設定する。またこのとき、主制御用ＣＰＵ３０ａは、主制御用ＲＡＭ３０ｃに記憶されているラウンド中開放回数を１加算して更新する。ラウンド中開放回数は、１回のラウンド遊技中に大入賞口１８を開放させた回数である。
【０１０７】
次に、主制御用ＣＰＵ３０ａは、１回のラウンド遊技において、大入賞口１８へ入球した遊技球の数を示す入球個数が、予め定めた入球上限個数（本実施形態では「１０個」）に達したか否かを判定する（ステップＳ１４）。なお、主制御用ＣＰＵ３０ａは、カウントセンサＣＳからの検知信号を入力する毎に入球個数を１加算し、主制御用ＲＡＭ３０ｃに記憶させる。また、主制御用ＣＰＵ３０ａは、１回のラウンド遊技の終了時に入球個数を「０（零）」にリセットする。
【０１０８】
ステップＳ１４の判定結果が否定（入球上限個数＞入球個数）の場合、主制御用ＣＰＵ３０ａは、大入賞口１８を開放させてから開放時間を経過したか否かを判定する（ステップＳ１５）。ステップＳ１５の判定結果が否定の場合、主制御用ＣＰＵ３０ａは、ステップＳ１４の処理に戻る。
【０１０９】
一方、ステップＳ１５の判定結果が肯定の場合、又はステップＳ１４の判定結果が肯定（入球上限個数＝入球個数）の場合、主制御用ＣＰＵ３０ａは、大入賞口１８を閉鎖させるように大入賞口ソレノイドＳＯＬ２を制御する（ステップＳ１６）。
【０１１０】
次に、主制御用ＣＰＵ３０ａは、１回のラウンド遊技において、大入賞口１８へ入球した遊技球の数を示す入球個数が、予め定めた入球上限個数に達したか否かを判定する（ステップＳ１７）。ステップＳ１７の判定結果が否定（入球上限個数＞入球個数）の場合、主制御用ＣＰＵ３０ａは、ラウンド中開放回数が、大当りの種類に基づいて特定される規定開放回数に達したか否かを判定する（ステップＳ１８）。
【０１１１】
ステップＳ１８の判定結果が否定（規定開放回数＞ラウンド中開放回数）の場合、主制御用ＣＰＵ３０ａは、ラウンド内インターバル時間を主制御用ＲＡＭ３０ｃに設定する（ステップＳ１９）。なお、ラウンド内インターバル時間を設定する制御について、詳しくは後述する。その後、主制御用ＣＰＵ３０ａは、ラウンド内インターバル時間が経過した場合、ステップＳ１３に移行し、同一のラウンド遊技における次回の大入賞口１８の開放を実行させる。ステップＳ１３〜Ｓ１９の処理により、主制御用ＣＰＵ３０ａは、大当りＺａ〜Ｚｃが決定されたときには、各ラウンド遊技において大入賞口１８を複数回にわたって開放させることができる。
【０１１２】
一方、ステップＳ１７の判定結果が肯定（入球上限個数＝入球個数）の場合、又はステップＳ１８の判定結果が肯定（規定開放回数＝ラウンド中開放回数）の場合、主制御用ＣＰＵ３０ａは、ラウンド終了コマンドを出力する（ステップＳ２０）。ラウンド終了コマンドは、終了させたラウンド遊技が何回目のラウンド遊技であるかを指定するとともにラウンド遊技の終了を示すコマンドである。そして、主制御用ＣＰＵ３０ａは、ラウンド遊技を終了させると、ラウンド中開放回数を「０（零）」に設定するとともに、ラウンド間インターバル時間を主制御用ＲＡＭ３０ｃに設定する（ステップＳ２１）。なお、ラウンド間インターバル時間を設定する制御について、詳しくは後述する。
【０１１３】
その後、主制御用ＣＰＵ３０ａは、ラウンド間インターバル時間が経過した場合、ラウンド遊技数が規定ラウンド数に達したか否かを判定する（ステップＳ２２）。ステップＳ２２の判定結果が否定（規定ラウンド数＞ラウンド遊技数）の場合、主制御用ＣＰＵ３０ａは、ステップＳ１２に移行し、次のラウンド遊技に関する処理を実行する。一方、ステップＳ２２の判定結果が肯定（規定ラウンド数＝ラウンド遊技数）の場合、主制御用ＣＰＵ３０ａは、エンディング処理を実行する（ステップＳ２３）。エンディング処理において、主制御用ＣＰＵ３０ａは、特別図柄（大当りの種類）に基づいて特定された大当り遊技用のエンディング演出の演出時間を主制御用ＲＡＭ３０ｃに設定するとともに、エンディング演出の実行を指示するエンディングコマンドを、演出制御用ＣＰＵ３１ａに出力する。そして、主制御用ＣＰＵ３０ａは、エンディング演出の演出時間が経過した場合、大当り遊技処理を終了する。このように、本実施形態では、主制御用ＣＰＵ３０ａが、当り遊技を付与する制御を行う当り遊技制御手段として機能する。
【０１１４】
このような大当り遊技処理により、主制御用ＣＰＵ３０ａは、大当りＺａ又は大当りＺｂが決定された場合、６回目のラウンド遊技において、大入賞口１８に大当り遊技を通して１６回目の開放をさせたのち、更に大入賞口１８を開放させる。また、主制御用ＣＰＵ３０ａは、大当りＺａ又は大当りＺｂが決定された場合、１１回目のラウンド遊技において、大入賞口１８に大当り遊技を通して３２回目の開放をさせたのち、更に大入賞口１８を開放させる。
【０１１５】
以下、ステップＳ１９において主制御用ＣＰＵ３０ａがラウンド内インターバル時間を設定するために行う処理について説明する。
主制御用ＣＰＵ３０ａは、ステップＳ１９において、大当りの種類と、ラウンド中開放回数と、ラウンド遊技数とに基づき、大当り中開放回数を算出する。なお、大当り中開放回数は、大当り遊技中に大入賞口１８が開放した回数を、大当りの種類と、ラウンド中開放回数と、ラウンド遊技数に基づき算出したものである。つまり、大当り中開放回数は、ラウンド遊技において規定開放回数だけ大入賞口１８が開放される前に入球個数が入球上限個数に達したことによってラウンド遊技が終了した場合、実際の大入賞口１８が開放した回数とずれることとなる。
【０１１６】
具体的に、主制御用ＣＰＵ３０ａは、大当り中開放回数として、既に終了したラウンド遊技数と１回のラウンド遊技における大入賞口１８の規定開放回数とを乗算した値に、ラウンド中開放回数を加算した値（すなわち、（現在のラウンド遊技数−１）×（１回のラウンド遊技における大入賞口１８の規定開放回数）＋ラウンド中開放回数）を設定する。例えば、１回のラウンド遊技における大入賞口１８の規定開放回数が「３回」である大当り遊技において、現在が４回目のラウンド遊技中であり、ラウンド中開放回数の値が「２」である場合、大当り中開放回数の値は、１１回（（４−１）×３＋２）となる。また、主制御用ＣＰＵ３０ａは、大当り中開放回数を算出すると、算出した大当り中開放回数を特定可能な開放回数コマンドを演出制御用ＣＰＵ３１ａに出力する。
【０１１７】
そして、主制御用ＣＰＵ３０ａは、算出した大当り中開放回数と、大当りの種類とに基づき、ラウンド内インターバル時間を決定する。具体的に、主制御用ＣＰＵ３０ａは、今回の大当りが大当りＺａである場合であって、大当り中開放回数が１６回又は３２回であるときには、当り判定時の遊技状態に応じてラウンド内インターバル時間を設定する。このとき、主制御用ＣＰＵ３０ａは、主制御用ＲＡＭ３０ｃに設定されている主遊技状態情報から、当り判定時の遊技状態が確変状態であることを特定した場合には「９秒」を設定する一方、当り判定時の遊技状態が非確変状態であることを特定した場合には「１秒」を設定する。また、主制御用ＣＰＵ３０ａは、今回の大当りが大当りＺａである場合であって、大当り中開放回数が１６回又は３２回以外であるときには、当り判定時の遊技状態にかかわらず、ラウンド内インターバル時間として「１秒」を設定する。
【０１１８】
また、主制御用ＣＰＵ３０ａは、今回の大当りが大当りＺｂである場合であって、大当り中開放回数が１６回であるときには、当り判定時の遊技状態に応じてラウンド内インターバル時間を設定する。このとき、主制御用ＣＰＵ３０ａは、主制御用ＲＡＭ３０ｃに設定されている主遊技状態情報から、当り判定時の遊技状態が確変状態であることを特定した場合には「９秒」を設定する一方、当り判定時の遊技状態が非確変状態であることを特定した場合には「１秒」を設定する。また、主制御用ＣＰＵ３０ａは、今回の大当りが大当りＺｂである場合であって、大当り中開放回数が１６回以外であるときには、当り判定時の遊技状態にかかわらず、ラウンド内インターバル時間として「１秒」を設定する。
【０１１９】
このように、主制御用ＣＰＵ３０ａは、大当りＺａを決定した場合であって、当り判定時の遊技状態が確変状態であるときには、１６回目及び３２回目の開放後のラウンド内インターバル時間として９秒を設定する制御を可能である。一方で、主制御用ＣＰＵ３０ａは、大当りＺａを決定した場合であって、当り判定時の遊技状態が非確変状態であるときには、１６回目及び３２回目の開放後のラウンド内インターバル時間として１秒を設定する制御を可能である。
【０１２０】
また、主制御用ＣＰＵ３０ａは、大当りＺｂを決定した場合であって、当り判定時の遊技状態が確変状態であるときには、１６回目の開放後のラウンド内インターバル時間として９秒を設定する制御を可能である。一方で、主制御用ＣＰＵ３０ａは、大当りＺｂを決定した場合であって、当り判定時の遊技状態が非確変状態であるときには、１６回目の開放後のラウンド内インターバル時間として１秒を設定する制御を可能である。
【０１２１】
したがって、本実施形態の主制御用ＣＰＵ３０ａは、同一の大当りを決定した場合であっても、特定ラウンド内インターバル時間を遊技状態に応じて異ならせることができる。なお、本実施形態では、確変状態が第１遊技状態に対応するとともに、非確変状態が第２遊技状態に対応する。また、本実施形態では、「９秒」が第１時間に対応するとともに、「１秒」が第２時間に対応する。
【０１２２】
また、本実施形態では、大当りＺａ又は大当りＺｂを決定した場合に、当り判定時の遊技状態に応じて、６回目のラウンド遊技における１回目の開放後のラウンド内インターバル時間を設定する制御が、第２制御に対応する。また、本実施形態では、大当りＺａを決定した場合に、当り判定時の遊技状態に応じて、１１回目のラウンド遊技における２回目の開放後のラウンド内インターバル時間を設定する制御が、第１制御に対応する。
【０１２３】
また、主制御用ＣＰＵ３０ａは、今回の大当りが大当りＺｃである場合には、当り判定時の遊技状態にかかわらず、ラウンド内インターバル時間として「１秒」を設定する。
次に、ステップＳ２１において主制御用ＣＰＵ３０ａがラウンド間インターバル時間を設定するために行う処理について説明する。
【０１２４】
主制御用ＣＰＵ３０ａは、ステップＳ２１において、大当りの種類と、ラウンド遊技数とに基づき、ラウンド間インターバル時間を決定する。
具体的に、主制御用ＣＰＵ３０ａは、今回の大当りが大当りＺｃである場合であって、ラウンド遊技数が８，１６回であるときには、当り判定時の遊技状態に応じてラウンド間インターバル時間を設定する。このとき、主制御用ＣＰＵ３０ａは、主制御用ＲＡＭ３０ｃに設定されている主遊技状態情報から、当り判定時の遊技状態が確変状態であることを特定した場合には「９秒」を設定する一方、当り判定時の遊技状態が非確変状態であることを特定した場合には「１秒」を設定する。
【０１２５】
また、主制御用ＣＰＵ３０ａは、今回の大当りが大当りＺｃである場合であって、ラウンド遊技数が８，１６回以外であるときには、当り判定時の遊技状態にかかわらず、ラウンド間インターバル時間として「１秒」を設定する。
【０１２６】
また、主制御用ＣＰＵ３０ａは、今回の大当りが大当りＺｄである場合であって、ラウンド遊技数が１６回であるときには、当り判定時の遊技状態に応じてラウンド間インターバル時間を設定する。このとき、主制御用ＣＰＵ３０ａは、主制御用ＲＡＭ３０ｃに設定されている主遊技状態情報から、当り判定時の遊技状態が確変状態であることを特定した場合には「９秒」を設定する一方、当り判定時の遊技状態が非確変状態であることを特定した場合には「１秒」を設定する。
【０１２７】
また、主制御用ＣＰＵ３０ａは、今回の大当りが大当りＺｄである場合であって、ラウンド遊技数が１６回以外であるときには、当り判定時の遊技状態にかかわらず、ラウンド間インターバル時間として「１秒」を設定する。
【０１２８】
また、主制御用ＣＰＵ３０ａは、今回の大当りが大当りＺＡ、大当りＺＢ、大当りＺａ、及び大当りＺｂのうちの何れかである場合には、当り判定時の遊技状態にかかわらず、ラウンド間インターバル時間として「１秒」を設定する。
【０１２９】
このように、本実施形態の主制御用ＣＰＵ３０ａは、同一の大当りを決定した場合であっても、特定回数目のラウンド遊技後のラウンド間インターバル時間を遊技状態に応じて異ならせることができる。なお、大当りＺｃに基づく大当り遊技では、８回目及び１６回目のラウンド遊技が特定回数目のラウンド遊技に対応するとともに、大当りＺｄに基づく大当り遊技では、１６回目のラウンド遊技が特定回数目のラウンド遊技に対応する。
【０１３０】
また、大当り遊技を終了する際、主制御用ＣＰＵ３０ａは、大当りの種類に基づき、大当り遊技の終了後に確変状態を付与するか否かを特定する。主制御用ＣＰＵ３０ａは、確変状態を付与する場合、主確変フラグに確変状態が付与されていることを示す値を設定する。また、主制御用ＣＰＵ３０ａは、確変状態を付与する場合、予め定めた確変回数を主制御用ＲＡＭ３０ｃに記憶させる。
【０１３１】
主制御用ＣＰＵ３０ａは、特別図柄変動ゲームが実行される毎に主制御用ＲＡＭ３０ｃに記憶されている確変回数を１減算して書き換えるとともに、１減算した結果として確変回数が０となった場合、確変回数が０となった特別図柄変動ゲームの終了に伴って主確変フラグの値を消去する。なお、主制御用ＣＰＵ３０ａは、大当り遊技が付与された場合、主確変フラグ及び確変回数の値を消去する。
【０１３２】
また、大当り遊技を終了する際、主制御用ＣＰＵ３０ａは、特別図柄の大当り図柄（即ち、大当りの種類）に基づき、変短状態を付与するか否かを特定する。主制御用ＣＰＵ３０ａは、変短状態を付与する場合、主作動フラグに変短状態が付与されていることを示す値を設定する。また、主制御用ＣＰＵ３０ａは、変短状態を付与する場合、予め定めた作動回数を主制御用ＲＡＭ３０ｃに記憶させる。
【０１３３】
主制御用ＣＰＵ３０ａは、特別図柄変動ゲームが実行される毎に主制御用ＲＡＭ３０ｃに記憶されている作動回数を１減算して書き換えるとともに、１減算した結果として作動回数が０となった場合、作動回数が０となった特別図柄変動ゲームの終了に伴って主作動フラグの値を消去する。なお、主制御用ＣＰＵ３０ａは、大当り遊技が付与された場合、主作動フラグ及び作動回数の値を消去する。
【０１３４】
次に、普通図柄に関して主制御用ＣＰＵ３０ａが実行する処理を説明する。
主制御用ＣＰＵ３０ａは、メイン制御プログラムに基づき普通図柄入力処理や普通図柄開始処理などの各種処理を実行する。本実施形態において主制御用ＣＰＵ３０ａは、所定の制御周期（例えば、４ｍｓ）毎に普通図柄入力処理や普通図柄開始処理などの各種処理を実行する。
【０１３５】
最初に、普通図柄入力処理について説明する。
主制御用ＣＰＵ３０ａは、作動ゲート２２へ遊技球が入球し、該遊技球を検知したゲートセンサＧＳが出力する検知信号を入力したか否かの普通入球判定を行う。そして、主制御用ＣＰＵ３０ａは、普通入球判定の判定結果が否定の場合、普通図柄入力処理を終了する。一方、主制御用ＣＰＵ３０ａは、普通入球判定の判定結果が肯定の場合、主制御用ＲＡＭ３０ｃに記憶されている普通図柄保留数が上限数（本実施形態では４）未満であるか否かの普通保留判定を行う。
【０１３６】
主制御用ＣＰＵ３０ａは、普通保留判定の判定結果が否定の場合（普通図柄保留数＝４の場合）、上限数を超える普通図柄保留数の更新を行わないとともに、普通当り判定用乱数の値を取得することなく、普通図柄入力処理を終了する。一方、主制御用ＣＰＵ３０ａは、普通保留判定の判定結果が肯定の場合（普通図柄保留数＜４の場合）、普通図柄保留数を１加算し、普通図柄保留数を更新する。その後、主制御用ＣＰＵ３０ａは、乱数生成回路３０ｄから普通当り判定用乱数の値を取得する。またこのとき、主制御用ＣＰＵ３０ａは、取得した普通当り判定用乱数の値を、該普通当り判定用乱数の値を記憶させた順序を特定可能となるように、主制御用ＲＡＭ３０ｃに記憶させる。その後、主制御用ＣＰＵ３０ａは、普通図柄入力処理を終了する。
【０１３７】
次に、普通図柄開始処理について説明する。
普通図柄開始処理において、主制御用ＣＰＵ３０ａは、普通図柄変動ゲームの実行条件が成立しているか否かを判定する。このとき、主制御用ＣＰＵ３０ａは、普通図柄変動ゲーム中又は普通当り遊技中であるか否かを判定する。そして、普通図柄変動ゲームの実行条件が成立していない場合（普通図柄変動ゲーム中又は普通当り遊技中である場合）、主制御用ＣＰＵ３０ａは、普通図柄開始処理を終了する。
【０１３８】
一方、普通図柄変動ゲームの実行条件が成立している場合（普通図柄変動ゲームの実行中でなく、且つ普通当り遊技中でない場合）、主制御用ＣＰＵ３０ａは、主制御用ＲＡＭ３０ｃに記憶されている普通図柄保留数が「０（零）」よりも大きいか否かの普通保留数判定を行う。普通保留数判定の判定結果が否定の場合（普通図柄保留数＝０の場合）、主制御用ＣＰＵ３０ａは、普通図柄開始処理を終了する。一方、普通保留数判定の判定結果が肯定の場合（普通図柄保留数＞０の場合）、主制御用ＣＰＵ３０ａは、普通図柄保留数を１減算し、普通図柄保留数を更新する。
【０１３９】
次に、主制御用ＣＰＵ３０ａは、主制御用ＲＡＭ３０ｃに記憶されている普通当り判定用乱数の値のうち、最先に記憶された普通当り判定用乱数の値を取得する。次に、主制御用ＣＰＵ３０ａは、取得した普通当り判定用乱数の値が主制御用ＲＯＭ３０ｂに記憶されている普通当り判定値と一致するか否かの普通当り判定を行う。このとき、主制御用ＣＰＵ３０ａは、変短状態が付与されている場合、変短状態用の普通当り判定値を用いる一方で、変短状態が付与されていない場合、非変短状態用の普通当り判定値を用いる。この遊技状態に応じた普通当り判定値の選択により、変短状態中は、普通当り判定で肯定判定される確率が高確率に変動する。
【０１４０】
普通当り判定の判定結果が肯定の場合（普通当りの場合）、主制御用ＣＰＵ３０ａは、普通図柄による普通当り図柄の中から普通図柄表示装置２１にて確定停止表示させる最終停止図柄を決定する。
【０１４１】
次に、主制御用ＣＰＵ３０ａは、複数種類の普通図柄変動パターンの中から１つの普通図柄変動パターンを決定する。このとき、主制御用ＣＰＵ３０ａは、変短状態が付与されていない場合、第１の変動時間（例えば５秒）を定めた普通図柄変動パターンを決定する一方で、変短状態が付与されている場合、第１の変動時間よりも短い第２の変動時間（例えば１秒）を定めた普通図柄変動パターンを決定する。この遊技状態に応じた変動時間の異なる普通図柄変動パターンの選択により、変短状態中は、普通図柄変動ゲームの変動時間が短縮される。その後、主制御用ＣＰＵ３０ａは、普通図柄開始処理を終了する。
【０１４２】
また、普通当り判定の判定結果が否定の場合（普通はずれの場合）、主制御用ＣＰＵ３０ａは、普通図柄による普通はずれ図柄の中から普通図柄表示装置２１にて確定停止表示させる最終停止図柄を決定する。次に、主制御用ＣＰＵ３０ａは、複数種類の普通図柄変動パターンの中から１つの普通図柄変動パターンを決定する。その後、主制御用ＣＰＵ３０ａは、普通図柄開始処理を終了する。
【０１４３】
また、普通図柄開始処理とは別の処理で、主制御用ＣＰＵ３０ａは、普通図柄の変動表示を開始させるように普通図柄表示装置２１の表示内容を制御する。また、主制御用ＣＰＵ３０ａは、普通図柄変動ゲームの演出時間の計測を開始する。また、主制御用ＣＰＵ３０ａは、普通図柄開始処理において決定した普通図柄変動パターンに定められている変動時間に基づいて、決定した最終停止図柄を確定停止表示させるように普通図柄表示装置２１の表示内容を制御する。
【０１４４】
また、普通当り判定において肯定判定した場合、主制御用ＣＰＵ３０ａは、普通図柄変動ゲームの終了後（普通当り図柄の確定停止表示後）、開閉扉１４を所定の動作パターンに従って開閉動作させて普通当り遊技を付与する。主制御用ＣＰＵ３０ａは、非変短状態の場合、開閉扉１４を、第１開放時間（本実施形態では０．２秒）で第１回数（本実施形態では１回）分、開放動作させる。一方、主制御用ＣＰＵ３０ａは、変短状態の場合、開閉扉１４を、第１開放時間よりも長い第２開放時間（本実施形態では１．５秒）で、第１回数よりも多い第２回数（本実施形態では３回）分、開放動作させる。この遊技状態に応じた異なる動作パターンによる開閉扉１４の開放動作の制御により、変短状態中は、開閉扉１４の開放時間が長くなる。
【０１４５】
次に、演出制御基板３１の演出制御用ＣＰＵ３１ａが演出制御プログラムに基づき実行する各種処理について説明する。演出制御用ＣＰＵ３１ａは、主制御用ＣＰＵ３０ａから所定の制御コマンドを所定のタイミングで入力すると、その制御コマンドに応じて各種処理を実行する。
【０１４６】
以下、演出制御用ＣＰＵ３１ａが飾り図柄変動ゲームを実行させるために行う処理について説明する。
演出制御用ＣＰＵ３１ａは、特別図柄指定コマンドを入力すると、特別図柄指定コマンドにより指定された最終停止図柄に基づき、演出表示装置１０に確定停止表示させる飾り図柄による図柄組み合わせを決定する。演出制御用ＣＰＵ３１ａは、特別図柄指定コマンドにより指定された最終停止図柄が大当り図柄である場合には、大当りの図柄組み合わせを決定する。
【０１４７】
また、演出制御用ＣＰＵ３１ａは、指定された最終停止図柄がはずれ図柄である場合には、変動パターン指定コマンドにより指定された特別図柄変動パターンに基づいて演出表示装置１０に確定停止表示させる飾り図柄による図柄組み合わせを決定する。即ち、演出制御用ＣＰＵ３１ａは、指定された最終停止図柄がはずれ図柄である場合であって、はずれリーチ演出用の特別図柄変動パターンが指定されたときには、はずれリーチの図柄組み合わせを決定する。また、演出制御用ＣＰＵ３１ａは、指定された最終停止図柄がはずれ図柄である場合であって、はずれ演出用の特別図柄変動パターンが指定されたときには、はずれの図柄組み合わせを決定する。
【０１４８】
また、演出制御用ＣＰＵ３１ａは、変動パターン指定コマンドを入力すると、全図柄列の飾り図柄の変動表示を開始させ、飾り図柄変動ゲームが開始されるように演出表示装置１０の表示内容を制御する。演出制御用ＣＰＵ３１ａは、入力した変動パターン指定コマンドにより指定された特別図柄変動パターンに基づいて飾り図柄変動ゲームの演出内容を特定するとともに、特定した演出内容による飾り図柄変動ゲームが実行されるように演出表示装置１０の表示内容を制御する。そして、演出制御用ＣＰＵ３１ａは、全図柄停止コマンドの入力を契機として、決定した飾り図柄を確定停止表示させるように演出表示装置１０を制御する。
【０１４９】
次に、大当り遊技が付与された際に演出制御用ＣＰＵ３１ａが行う制御について説明する。
演出制御用ＣＰＵ３１ａは、オープニングコマンドを入力すると、実行させるオープニング演出の演出内容を特定し、特定した演出内容でオープニング演出を表示させるように演出表示装置１０の表示内容を制御する。また、演出制御用ＣＰＵ３１ａは、遊技状態コマンドを入力すると、当り判定時の遊技状態を特定可能な副遊技状態情報を演出制御用ＲＡＭ３１ｃ内の所定の記憶領域に設定する。また、演出制御用ＣＰＵ３１ａは、ラウンド遊技数コマンドを入力する毎に、実行させるラウンド演出の演出内容を特定し、特定した演出内容でラウンド演出を表示させるように演出表示装置１０の表示内容を制御する。また、演出制御用ＣＰＵ３１ａは、開放回数コマンドを入力する毎に、ラウンド内インターバル時間中に実行させる遊技演出の演出内容を特定し、特定した演出内容で遊技演出を表示させるように演出表示装置１０の表示内容を制御する。また、演出制御用ＣＰＵ３１ａは、ラウンド終了コマンドを入力する毎に、ラウンド間インターバル時間中に実行させる遊技演出の演出内容を特定し、特定した演出内容で遊技演出を表示させるように演出表示装置１０の表示内容を制御する。そして、演出制御用ＣＰＵ３１ａは、エンディングコマンドを入力すると、実行させるエンディング演出の演出内容を特定し、特定した演出内容でエンディング演出を表示させるように演出表示装置１０の表示内容を制御する。
【０１５０】
以下、ラウンド内インターバル時間中に遊技演出を表示させるために演出制御用ＣＰＵ３１ａが行う制御について詳しく説明する。
演出制御用ＣＰＵ３１ａは、大当りの種類と、入力した開放回数コマンドから特定される大当り中開放回数とに基づいて、ラウンド内インターバル時間中に実行させる遊技演出の演出内容を特定する。
【０１５１】
演出制御用ＣＰＵ３１ａは、今回の大当りが大当りＺａである場合であって、大当り中開放回数が１６，３２回であるときには、当り判定時の遊技状態に応じてラウンド内インターバル時間中に実行させる遊技演出の演出内容を特定する。このとき、演出制御用ＣＰＵ３１ａは、演出制御用ＲＡＭ３１ｃに設定されている副遊技状態情報から、当り判定時の遊技状態が確変状態であることを特定した場合には第１継続報知態様の報知演出を特定する一方、当り判定時の遊技状態が非確変状態であることを特定した場合には通常演出を特定する。
【０１５２】
また、演出制御用ＣＰＵ３１ａは、今回の大当りが大当りＺａである場合であって、大当り中開放回数が１６，３２回以外であるときには、当り判定時の遊技状態にかかわらず、ラウンド内インターバル時間中に実行させる遊技演出の演出内容として通常演出を特定する。
【０１５３】
また、演出制御用ＣＰＵ３１ａは、今回の大当りが大当りＺｂである場合であって、大当り中開放回数が１６回であるときには、当り判定時の遊技状態に応じてラウンド内インターバル時間中に実行させる遊技演出の演出内容を特定する。このとき、演出制御用ＣＰＵ３１ａは、演出制御用ＲＡＭ３１ｃに設定されている副遊技状態情報から、当り判定時の遊技状態が確変状態であることを特定した場合には第２継続報知態様の報知演出を特定する一方、当り判定時の遊技状態が非確変状態であることを特定した場合には通常演出を特定する。
【０１５４】
また、演出制御用ＣＰＵ３１ａは、今回の大当りが大当りＺｂである場合であって、大当り中開放回数が１６回以外であるときには、当り判定時の遊技状態にかかわらず、ラウンド内インターバル時間中に実行させる遊技演出の演出内容として通常演出を特定する。
【０１５５】
また、演出制御用ＣＰＵ３１ａは、今回の大当りが大当りＺｃである場合、大当り中開放回数にかかわらず、ラウンド内インターバル時間中に実行させる演出の演出内容として通常演出を特定する。通常演出は、演出表示装置１０に所定のキャラクタ画像を表示し、該キャラクタ画像の動作により、インターバル時間中であることを報知する遊技演出である。
【０１５６】
このように、演出制御用ＣＰＵ３１ａは、ラウンド内インターバル時間として「９秒」が設定されている場合、そのラウンド内インターバル時間にかけて報知演出を実行させる制御を可能である。一方、演出制御用ＣＰＵ３１ａは、ラウンド内インターバル時間として「１秒」が設定されている場合、そのラウンド内インターバル時間にかけて報知演出を実行させない。なお、本実施形態では、報知演出が特定演出に対応するとともに、演出制御用ＣＰＵ３１ａが、大当り遊技中に報知演出を実行させる制御を可能な特定演出制御手段として機能する。
【０１５７】
次に、ラウンド間インターバル時間中に遊技演出を表示させるために演出制御用ＣＰＵ３１ａが行う制御について詳しく説明する。
演出制御用ＣＰＵ３１ａは、大当りの種類と、入力したラウンド終了コマンドから特定される終了されたラウンド遊技の回数とに基づいて、ラウンド間インターバル時間中に実行させる遊技演出の演出内容を特定する。演出制御用ＣＰＵ３１ａは、今回の大当りが、大当りＺＡ、大当りＺＢ、大当りＺａ、及び大当りＺｂのうちの何れかである場合、終了されたラウンド遊技の回数にかかわらず、ラウンド間インターバル時間中に実行させる遊技演出の演出内容として通常演出を特定する。
【０１５８】
また、演出制御用ＣＰＵ３１ａは、今回の大当りが大当りＺｃである場合であって、終了されたラウンド遊技の回数が８，１６回であるときには、当り判定時の遊技状態に応じてラウンド間インターバル時間中に実行させる遊技演出の演出内容を特定する。このとき、演出制御用ＣＰＵ３１ａは、演出制御用ＲＡＭ３１ｃに設定されている副遊技状態情報から、当り判定時の遊技状態を特定する。そして、演出制御用ＣＰＵ３１ａは、終了されたラウンド遊技の回数が８回である場合であって、当り判定時の遊技状態が確変状態であることを特定したときには第１継続報知態様の報知演出を特定する一方、当り判定時の遊技状態が非確変状態であることを特定したときには通常演出を特定する。また、演出制御用ＣＰＵ３１ａは、終了されたラウンド遊技の回数が１６回である場合であって、当り判定時の遊技状態が確変状態であることを特定したときには終了報知態様の報知演出を特定する一方、当り判定時の遊技状態が非確変状態であることを特定したときには通常演出を特定する。
【０１５９】
また、演出制御用ＣＰＵ３１ａは、今回の大当りが大当りＺｃである場合であって、終了されたラウンド遊技の回数が８，１６回以外であるときには、当り判定時の遊技状態にかかわらず、インターバル時間中に実行させる遊技演出の演出内容として通常演出を特定する。
【０１６０】
また、演出制御用ＣＰＵ３１ａは、今回の大当りが大当りＺｄである場合であって、終了されたラウンド遊技の回数が１６回であるときには、当り判定時の遊技状態に応じてラウンド間インターバル時間中に実行させる遊技演出の演出内容を特定する。このとき、演出制御用ＣＰＵ３１ａは、演出制御用ＲＡＭ３１ｃに設定されている副遊技状態情報から、当り判定時の遊技状態が確変状態であることを特定した場合には終了報知態様の報知演出を特定する一方、当り判定時の遊技状態が非確変状態であることを特定した場合には通常演出を特定する。
【０１６１】
また、演出制御用ＣＰＵ３１ａは、今回の大当りが大当りＺｄである場合であって、終了されたラウンド遊技の回数が１６回以外であるときには、当り判定時の遊技状態にかかわらず、インターバル時間中に実行させる遊技演出の演出内容として通常演出を特定する。
【０１６２】
次に、大当り遊技における遊技演出の実行態様の具体的な一例について説明する。
図１０（ａ）に示すように、特別図柄Ｚａ（即ち、大当りＺａ）が決定されたときに付与される大当り遊技では、１６回のラウンド遊技が実行されるとともに、各ラウンド遊技において、大入賞口１８が最大３回開放される。即ち、特別図柄Ｚａが決定されたときに付与される大当り遊技では、大入賞口１８が最大で４８回開放される。なお、以下の説明では、当り判定時の遊技状態が非確変状態である場合であって、特別図柄Ｚａが決定されたときに付与される大当り遊技を非確変時大当りＺａに基づく大当り遊技と示す。一方、当り判定時の遊技状態が確変状態である場合であって、特別図柄Ｚａが決定されたときに付与される大当り遊技を確変時大当りＺａに基づく大当り遊技と示す。また、特別図柄Ｚｂ〜Ｚｄに基づく大当り遊技についても、特別図柄Ｚａの場合と同様に示す。
【０１６３】
非確変時大当りＺａに基づく大当り遊技において、演出表示装置１０では、６回目のラウンド遊技における１回目の大入賞口１８の開放後に「１秒」のラウンド内インターバル時間が設定されることに伴って、該ラウンド内インターバル時間にかけて通常演出が表示される。同様に、非確変時大当りＺａに基づく大当り遊技において、演出表示装置１０では、１１回目のラウンド遊技における２回目の大入賞口１８の開放後に「１秒」のラウンド内インターバル時間が設定されることに伴って、該ラウンド内インターバル時間にかけて通常演出が表示される。なお、大当りＺａに基づく大当り遊技において、６回目のラウンド遊技における１回目の大入賞口１８の開放は、大当り遊技を通した１６回目の開放に対応するとともに、１１回目のラウンド遊技における２回目の大入賞口１８の開放は、大当り遊技を通した３２回目の開放に対応する。
【０１６４】
一方、図１０（ｂ）に示すように、確変時大当りＺａに基づく大当り遊技において、演出表示装置１０では、６回目のラウンド遊技における１回目の大入賞口１８の開放後に「９秒」のラウンド内インターバル時間が設定されることに伴って、該ラウンド内インターバル時間にかけて、第１継続報知態様で報知演出が表示される。同様に、確変時大当りＺａに基づく大当り遊技において、演出表示装置１０では、１１回目のラウンド遊技における２回目の大入賞口１８の開放後に「９秒」のラウンド内インターバル時間が設定されることに伴って、該ラウンド内インターバル時間にかけて、第１継続報知態様で報知演出が表示される。
【０１６５】
このように、演出表示装置１０では、大当りＺａが決定された場合、大入賞口１８の１６，３２回目の開放後のラウンド内インターバル時間について、当り判定時の遊技状態に応じて異なる演出時間で遊技演出が表示される。また、演出表示装置１０では、大当りＺａが決定された場合、大入賞口１８の１６，３２回目の開放後のラウンド内インターバル時間にかけて、当り判定時の遊技状態が確変状態である場合には報知演出が表示される一方、当り判定時の遊技状態が非確変状態である場合には報知演出が表示されない。このため、本実施形態では、大当りＺａが決定された場合、当り判定時の遊技状態に応じて、報知演出の演出態様を異ならせることができる。
【０１６６】
図１１（ａ）に示すように、特別図柄Ｚｃ（即ち、大当りＺｃ）が決定されたときに付与される大当り遊技では、１６回のラウンド遊技が実行されるとともに、各ラウンド遊技において、大入賞口１８が最大２回開放される。即ち、特別図柄Ｚｃが決定されたときに付与される大当り遊技では、大入賞口１８が最大で３２回開放される。
【０１６７】
確変時大当りＺｃに基づく大当り遊技において、演出表示装置１０では、８回目のラウンド遊技後（大入賞口１８の１６回目の開放後）に９秒のラウンド間インターバル時間が設定されることに伴って、該ラウンド間インターバル時間にかけて、第１継続報知態様で報知演出が表示される。また、確変時大当りＺｃに基づく大当り遊技において、演出表示装置１０では、１６回目のラウンド遊技後（大入賞口１８の３２回目の開放後）に９秒のラウンド間インターバル時間が設定されることに伴って、該ラウンド間インターバル時間にかけて、終了報知態様で報知演出が表示される。
【０１６８】
図１１（ｂ）に示すように、特別図柄Ｚｄ（即ち、大当りＺｄ）が決定されたときに付与される大当り遊技では、１６回のラウンド遊技が実行されるとともに、各ラウンド遊技において、大入賞口１８が１回開放される。即ち、特別図柄Ｚｄが決定されたときに付与される大当り遊技では、大入賞口１８が１６回開放される。
【０１６９】
確変時大当りＺｄに基づく大当り遊技において、演出表示装置１０では、１６回目のラウンド遊技後（大入賞口１８の１６回目の開放後）に９秒のラウンド間インターバル時間が設定されることに伴って、該ラウンド間インターバル時間にかけて、終了報知態様で報知演出が表示される。
【０１７０】
図１２に示すように、特別図柄Ｚｂ（即ち、大当りＺｂ）が決定されたときに付与される大当り遊技では、１６回のラウンド遊技が実行されるとともに、各ラウンド遊技において、大入賞口１８が３回開放される。即ち、特別図柄Ｚｂが決定されたときに付与される大当り遊技では、大入賞口１８が最大で４８回開放される。
【０１７１】
確変時大当りＺｂに基づく大当り遊技において、演出表示装置１０では、６回目のラウンド遊技における１回目の大入賞口１８の開放後（大入賞口１８の１６回目の開放後）に「９秒」のラウンド内インターバル時間が設定されることに伴って、該ラウンド内インターバル時間にかけて、第２継続報知態様で報知演出が表示される。一方、確変時大当りＺｂに基づく大当り遊技において、演出表示装置１０では、１１回目のラウンド遊技後における２回目の大入賞口１８の開放後（大入賞口１８の３２回目の開放後）に「１秒」のラウンド内インターバル時間が設定されることに伴って、該ラウンド内インターバル時間にかけて、通常演出が表示される。即ち、本実施形態では、確変時大当りＺｂに基づく大当り遊技が付与される場合、６回目のラウンド遊技における１回目の大入賞口１８の開放後のラウンド内インターバル時間において、今回の大当り遊技が大入賞口１８の規定開放回数として「４８回」が設定されている大当り遊技であることが報知される。
【０１７２】
このように、演出表示装置１０では、大入賞口１８の開放回数が同一である確変時大当りＺａ，Ｚｂに基づく大当り遊技において、報知演出が表示される回数を異ならせることができる。
【０１７３】
また、演出表示装置１０では、確変時大当りＺａ〜Ｚｄに基づく大当り遊技において、オープニング演出が表示されてから１６回目の大入賞口１８の開放後のインターバル時間にかけて報知演出が表示される迄の表示内容を同一とすることができる。このため、本実施形態では、確変時大当りＺａ〜Ｚｄが決定された場合、オープニング演出が表示されてから１６回目の大入賞口１８の開放後のインターバル時間にかけて報知演出が表示される迄は何れの大当りであるかを判別し難くすることができる。
【０１７４】
また、演出表示装置１０では、１６回目の大入賞口１８の開放後のインターバル時間において、確変時大当りＺａ，Ｚｃに基づく大当り遊技では第１継続報知態様で、確変時大当りＺｂに基づく大当り遊技では第２継続報知態様で、確変時大当りＺｄに基づく大当り遊技では終了報知態様で、それぞれ報知演出が表示される。このため、本実施形態では、１６回目の大入賞口１８の開放後のインターバル時間にかけて表示される報知演出において、単に大当り遊技が継続されることが報知される場合と、今回の大当り遊技における大入賞口１８の開放回数として４８回が設定されていることが報知される場合と、大当り遊技が継続されないことが報知される場合と、がある。
【０１７５】
また、演出表示装置１０では、確変時大当りＺａ，Ｚｃに基づく大当り遊技において、オープニング演出が表示されてから３２回目の大入賞口１８の開放後のインターバル時間にかけて報知演出が表示される迄の表示内容を同一とすることができる。このため、本実施形態では、確変時大当りＺａ，Ｚｃが決定された場合、オープニング演出が表示されてから３２回目の大入賞口１８の開放後のインターバル時間にかけて報知演出が表示される迄は何れの大当りであるかを判別し難くすることができる。
【０１７６】
また、演出表示装置１０では、３２回目の大入賞口１８の開放後のインターバル時間において、確変時大当りＺａに基づく大当り遊技では第１継続報知態様で、確変時大当りＺｃに基づく大当り遊技では終了報知態様で、それぞれ報知演出が表示される。このため、本実施形態では、３２回目の大入賞口１８の開放後のインターバル時間にかけて表示される報知演出において、単に大当り遊技が継続されることが報知される場合と、大当り遊技が継続されないことが報知される場合と、がある。
【０１７７】
本実施形態によれば以下の効果を奏することができる。
（１）演出制御用ＣＰＵ３１ａは、確変状態中に当り判定の判定結果が肯定となり、大当りＺａ又は大当りＺｂが決定された場合、第２時間（１秒）よりも長い第１時間（９秒）にかけて報知演出を実行させることができる。したがって、本実施形態では、遊技状態に応じて報知演出の演出態様を異ならせることができるため、報知演出に対する興趣を向上させることができる。
【０１７８】
（２）本実施形態において、報知演出の演出時間は、９秒に設定されている。このため、本実施形態では、確変状態中に当り判定の判定結果が肯定となり、大当りＺａ，Ｚｂが決定された場合、第１時間（９秒）にかけて報知演出を実行できる一方、非確変状態中に当り判定の判定結果が肯定となり、大当りＺａ又は大当りＺｂが決定された場合、報知演出を実行できない。したがって、本実施形態では、報知演出を確変状態に特有の遊技演出として明確に印象付けることができ、報知演出に対する興趣を向上させることができる。
【０１７９】
（３）報知演出は、今回の大当り遊技が継続するか否かを報知する演出である。したがって、本実施形態では、報知演出を実行する場合に、今回の大当り遊技が継続するか否かに注目させることができる。また、本実施形態では、遊技状態に応じて報知演出が対応付けられるため、大当り遊技における演出態様を多様化することができ、遊技に対する興趣を向上させることができる。
【０１８０】
（４）本実施形態では、オープニング演出が開始してから、大入賞口１８の３２回目の開放が終了する迄は、大当りＺａか大当りＺｃかを判別し難くなるため、３２回目の開放後にも大当り遊技が継続されるか否かに注目させることができる。また、演出制御用ＣＰＵ３１ａは、大当り遊技が継続されるか否かが注目される、３２回目の開放後（１１回目のラウンド遊技における２回目の開放後）のインターバル時間に報知演出を実行させるため、報知演出に対する興趣を向上させることができる。
【０１８１】
（５）演出制御用ＣＰＵ３１ａは、大当り遊技を通した大入賞口１８の開放回数が同一となる大当りＺａ，Ｚｂについて、報知演出を実行させる回数を異ならせることができる。このため、本実施形態では、報知演出が何回実行されるかに注目させることができる。
【０１８２】
（６）確変状態中は、確変状態を付与する付与条件が成立し得る当りが決定され易いため、確変状態中に大当り遊技が付与された場合、大当り遊技中、確変状態が付与されるか否かよりも大当り遊技が継続されるか否かに注目される場合がある。したがって、本実施形態では、遊技者が大入賞口１８の開放回数の多い当りに当選することに期待する確変状態中に報知演出を実行することができるため、報知演出に対する興趣を向上させることができる。
【０１８３】
（７）変短状態中は、第２特別図柄変動ゲームの始動条件が成立し易くなるため、変短状態中に大当りとなった場合には、確変状態が付与されることが確定する大当り遊技である大当りＺａ〜Ｚｄに基づく大当り遊技が確定的に決定される。このため、変短状態中に大当りが付与された場合、大当り遊技中、確変状態が付与されるか否かよりも大当り遊技が継続されるか否かに注目されることとなる。したがって、本実施形態では、遊技者が大入賞口１８の開放回数の多い大当りに当選することに期待する変短状態中に報知演出を実行することができるため、報知演出に対する興趣を向上させることができる。
【０１８４】
（８）本実施形態では、１６回目の開放後のインターバル時間にかけて表示される報知演出において、単に大当り遊技が継続されることが報知される場合と、今回の大当り遊技における大入賞口１８の開放回数が「４８回」であることが報知される場合と、大当り遊技が継続されないことが報知される場合と、がある。したがって、本実施形態では、報知演出の演出態様に対する興趣を向上させることができる。
【０１８５】
なお、上記実施形態は、次のような別の実施形態（別例）にて具体化できる。
・演出制御用ＣＰＵ３１ａは、ラウンド遊技数コマンドの入力によって、ラウンド演出とインターバル演出との両方の演出内容を特定し、特定した演出内容で演出を表示させるように演出表示装置１０の表示内容を制御してもよい。この場合、ラウンド終了コマンドを省略してもよい。
【０１８６】
・ラウンド内インターバル時間中に実行させる遊技演出として、通常演出とは異なる遊技演出を特定してもよい。例えば、ラウンド遊技において大入賞口１８の開放中に実行させる遊技演出と、ラウンド内インターバル時間中に実行させる遊技演出とを連続した演出内容の遊技演出としてもよい。また、キャラクタ画像でなく数字画像などの画像を表示する演出であってもよいし、スピーカＳＰを用いた音声演出や装飾ランプＬＡを用いた発光演出などであってもよい。また、これらの組み合わせであってもよい。
【０１８７】
・ラウンド間インターバル時間中に実行させる遊技演出として、通常演出とは異なる遊技演出を特定してもよい。例えば、ラウンド演出とラウンド間インターバル時間中に実行させる遊技演出とを連続した演出内容の遊技演出とし、ラウンド遊技の遊技時間とラウンド間インターバル時間とにわたって継続して実行させてもよい。また、キャラクタ画像でなく数字画像などの画像を表示する演出であってもよいし、スピーカＳＰを用いた音声演出や装飾ランプＬＡを用いた発光演出などであってもよい。また、これらの組み合わせであってもよい。
【０１８８】
・報知演出において、継続報知態様として第１継続報知態様のみを設けてもよい。また、第１継続報知態様及び第２継続報知態様とは異なる報知態様を設けてもよい。
・報知演出の演出態様は、適宜変更してもよい。例えば、キャラクタ画像でなく数字画像などの画像を表示する演出であってもよいし、スピーカＳＰを用いた音声演出や装飾ランプＬＡを用いた発光演出などであってもよい。また、これらの組み合わせであってもよい。
【０１８９】
・報知演出の演出時間は、適宜変更してもよい。例えば、主制御用ＣＰＵ３０ａは、報知演出の演出時間を、第２時間（本実施形態では「１秒」）を超える時間であって、第１時間（本実施形態では「９秒」）以下の時間に設定してもよい。このような場合には、報知演出を確変状態に特有の遊技演出とすることができる。
【０１９０】
・ラウンド間インターバル時間の長さは、適宜変更してもよい。例えば、特定回数目のラウンド遊技後のラウンド間インターバル時間について、当り判定時の遊技状態が確変状態である場合に、９秒よりも長い時間としてもよいし、９秒よりも短い時間としてもよい。また、当り判定時の遊技状態が非確変状態である場合に、１秒よりも長い時間としてもよいし、１秒よりも短い時間としてもよい。
【０１９１】
・全ての大当り遊技におけるラウンド間インターバル時間を一定に設定してもよい。例えば、全ての大当り遊技におけるラウンド間インターバル時間を１秒とする場合であっても、特定ラウンド内インターバル時間を当り判定時の遊技状態に応じて設定し、特定ラウンド内インターバル時間として９秒が設定された場合に報知演出を実行することにより、報知演出に対して注目させることができる。
【０１９２】
・特定ラウンド内インターバル時間の長さは、適宜変更してもよい。例えば、第１時間を９秒よりも長い時間としてもよいし、９秒よりも短い時間としてもよい。また、第１時間と同様に、第２時間を変更してもよい。少なくとも、第２時間が第１時間よりも短い時間であればよい。また、当り判定時の遊技状態にかかわらず設定されるラウンド内インターバル時間を変更してもよい。
【０１９３】
・大当り遊技において何回目のラウンド遊技を、大入賞口１８を複数回にわたって開放する特定のラウンド遊技とするかは、適宜変更してもよい。例えば、複数回のラウンド遊技のうち何れか１回のラウンド遊技のみを特定のラウンド遊技としてもよい。
【０１９４】
・主制御用ＣＰＵ３０ａは、特定回数目のラウンド遊技後のラウンド間インターバル時間として、当り判定時の遊技状態が非確変状態である場合には第１時間（本実施形態では「９秒」）を設定する一方、当り判定時の遊技状態が確変状態である場合には第１時間よりも短い第２時間（本実施形態では「１秒」）を設定してもよい。
【０１９５】
・主制御用ＣＰＵ３０ａは、特定ラウンド内インターバル時間として、当り判定時の遊技状態が非確変状態である場合には第１時間（本実施形態では「９秒」）を設定する一方、当り判定時の遊技状態が確変状態である場合には第１時間よりも短い第２時間（本実施形態では「１秒」）を設定してもよい。このような場合、非確変状態が第１遊技状態に対応するとともに、確変状態が第２遊技状態に対応する。
【０１９６】
・主制御用ＣＰＵ３０ａは、特定回数目のラウンド遊技後のラウンド間インターバル時間を、当り判定時の遊技状態が確変状態であるか否かでなく、他の遊技状態に応じて設定してもよい。例えば、変短状態であるか否かに応じて特定回数目のラウンド遊技後のラウンド間インターバル時間を設定してもよい。また例えば、複数の演出モードを設け、何れの演出モードであるかに応じて特定回数目のラウンド遊技後のラウンド間インターバル時間を設定してもよい。
【０１９７】
・主制御用ＣＰＵ３０ａは、特定ラウンド内インターバル時間を、当り判定時の遊技状態が確変状態であるか否かでなく、他の遊技状態に応じて設定してもよい。例えば、変短状態であるか否かに応じて特定ラウンド内インターバル時間を設定してもよい。また例えば、複数の演出モードを設け、何れの演出モードであるかに応じて特定ラウンド内インターバル時間を設定してもよい。
【０１９８】
・大当り遊技において何回目のラウンド遊技後のラウンド間インターバル時間を当り判定時の遊技状態に応じて設定するかは、適宜変更してもよい。例えば、全てのラウンド遊技後のラウンド間インターバル時間を当り判定時の遊技状態に応じて設定してもよい。
【０１９９】
・大当り遊技において何回目の開放後のラウンド内インターバル時間を特定ラウンド内インターバル時間とするかは、適宜変更してもよい。例えば、同一のラウンド遊技における複数回のラウンド内インターバル時間のうち全てのラウンド内インターバル時間を特定ラウンド内インターバル時間としてもよい。
【０２００】
・大当りの種類は適宜変更してもよい。例えば、大当り遊技における演出内容、ラウンド遊技の実行態様、各ラウンド遊技における大入賞口１８の開放回数、入球上限個数、及び大当り遊技終了後の遊技状態などを変更した大当りを備えてもよい。全ての大当りのうち少なくとも１つの当りにおいて、特定ラウンド内インターバル時間を、当り判定時の遊技状態に応じて異ならせていればよい。
【０２０１】
・小当り判定（小当り抽選）を行う遊技機に適用してもよい。この小当り判定は、取得した当り判定用乱数の値が、当り判定値とは異なる値に定めた小当り判定値と一致する場合に肯定判定する判定としてもよい。そして、小当り判定で肯定判定した際には、大入賞口１８を開放する小当り遊技が生起されるように構成してもよい。
【０２０２】
・演出制御用ＣＰＵ３１ａは、インターバル時間と、該インターバル時間の経過後に設定される大入賞口１８の開放時間又はエンディング時間とに跨って報知演出を実行させてもよい。例えば、演出制御用ＣＰＵ３１ａは、今回の大当り遊技が継続されることを報知する場合、今回の大当り遊技が継続されるか否かを煽る演出をラウンド内インターバル時間にかけて実行させるとともに、ラウンド内インターバル時間の経過後に設定される大入賞口１８の開放時間において大当り遊技が継続されることを報知する演出を実行させる。また例えば、演出制御用ＣＰＵ３１ａは、今回の大当り遊技が継続されないことを報知する場合、今回の大当り遊技が継続されるか否かを煽る演出をラウンド間インターバル時間にかけて実行させるとともに、ラウンド間インターバル時間の経過後に設定されるエンディング時間において大当り遊技が継続されないことを報知する演出を実行させてもよい。
【０２０３】
・特定ラウンド内インターバル時間にかけて実行する演出を、報知演出とは異なる遊技演出としてもよい。例えば、確変状態が付与されることを示唆する示唆演出であってもよい。
【０２０４】
・第１特別図柄変動ゲームと第２特別図柄変動ゲームとが何れも記憶されているとき、第１特別図柄変動ゲームを優先的に実行してもよい。また、第１特別図柄変動ゲームと第２特別図柄変動ゲームとにかかわらず、各始動口１３，１５への入球順に各特別図柄変動ゲームを実行してもよい。
【０２０５】
・大入賞口１８とは異なる第２大入賞口を有する第２大入賞装置を備えてもよい。この場合、主制御用ＣＰＵ３０ａは、決定した当りの種類に基づいて、当り遊技における各ラウンド遊技で開放させる大入賞口を特定してもよい。
【０２０６】
・確変状態を付与する付与条件は、適宜変更してもよい。例えば、大入賞装置１７内に特定の領域を設定し、該特定の領域を通過する遊技球を検知することにより確変状態を付与してもよい。また、大入賞装置１７とは異なる第２大入賞装置を備え、該第２大入賞装置内に特定の領域を設定してもよい。
【０２０７】
・大入賞装置１７内に設定される特定の領域を通過する遊技球を検知することにより、大当り遊技を付与する遊技機（所謂１種２種混合機）に具体化してもよい。また、大入賞装置１７とは異なる第２大入賞装置を備え、該第２大入賞装置内に特定の領域を設定してもよい。
【０２０８】
・特別図柄変動ゲームには、第１特別図柄変動ゲームと第２特別図柄変動ゲームの２種類の特別図柄変動ゲームを設けたが、１種類だけでもよい。この場合、第１始動口１３を省略してもよい。
【０２０９】
・主制御用ＣＰＵ３０ａは、特別図柄指定コマンドに代えて、大当りの種類を特定可能な制御コマンドを出力してもよい。なお、この制御コマンドは、大当りの種類毎に設定されたコマンドであって、特別図柄の種類は特定できない。また、大当りの種類毎に変動パターンを設定した場合には、演出制御用ＣＰＵ３１ａが変動パターン指定コマンドをもとに大当りの種類を把握するようにしてもよい。
【０２１０】
・演出制御基板３１をサブ統括制御基板とし、演出制御基板３１とは別に演出表示装置１０を専門に制御する表示制御基板を設けてもよい。
・特別図柄のみを用いる遊技機に具体化してもよい。
【０２１１】
次に、上記実施形態及び別例から把握できる技術的思想を以下に追記する。
（イ）遊技状態には、前記当り判定の判定結果が肯定となる確率を低確率から高確率に変動させる確率変動状態を含み、前記第１遊技状態は、前記当り遊技後に前記確率変動状態を付与する付与条件が成立し得る当りが決定され易い遊技状態である。
【０２１２】
（ロ）当りか否かの当り判定の判定結果が肯定の場合、図柄変動ゲームの終了後に当り遊技が付与される遊技機において、前記当り判定の判定結果が肯定の場合に当りの種類を決定する当り種類決定手段と、前記当り種類決定手段が決定した当りに基づいて当り遊技を付与する制御を行う当り遊技制御手段と、前記当り遊技中に特定演出を実行させる制御を可能な特定演出制御手段と、を備え、前記当り遊技制御手段は、前記当り判定の判定結果が肯定となったときの遊技状態が第１遊技状態である場合であって、前記当りのうち特定当りが決定されたときには、前記当り遊技中に設けられるインターバル時間のうち少なくとも１つである特定のインターバル時間として第１時間を設定する一方、前記当り判定の判定結果が肯定となったときの遊技状態が前記第１遊技状態とは異なる第２遊技状態である場合であって、前記特定当りが決定されたときには、前記特定のインターバル時間として前記第１時間よりも短い第２時間を設定し、前記特定演出制御手段は、前記特定のインターバル時間として前記第１時間が設定される場合、該第１時間にかけて前記特定演出を実行させる制御を可能であることを特徴とする遊技機。
【符号の説明】
【０２１３】
１８…大入賞口（特別入球口）、３０…主制御基板、３０ａ…主制御用ＣＰＵ（当り種類決定手段、当り遊技制御手段）、３１…演出制御基板、３１ａ…演出制御用ＣＰＵ（特定演出制御手段）。
【図１】
2015192819.tif 000003
【図２】
2015192819.tif 000004
【図３】
2015192819.tif 000005
【図４】
2015192819.tif 000006
【図５】
2015192819.tif 000007
【図６】
2015192819.tif 000008
【図７】
2015192819.tif 000009
【図８】
2015192819.tif 000010
【図９】
2015192819.tif 000011
【図１０】
2015192819.tif 000012
【図１１】
2015192819.tif 000013
【図１２】
2015192819.tif 000014